(57)【特許請求の範囲】
【請求項１】
無線接続システムにおいてＨＡＲＱ（Ｈｙｂｒｉｄ  Ａｕｔｏｍａｔｉｃ  Ｒｅｐｅａｔ  Ｒｅｑｕｅｓｔ）チャネル識別子（ＡＣＩＤ）を用いてＭ２Ｍ（Ｍａｃｈｉｎｅ−ｔｏ−Ｍａｃｈｉｎｅ）機器のＨＡＲＱ動作を支援する方法であって、前記方法は、
基地局において、第２のＭ２Ｍ機器がアップリンク（ＵＬ）バーストを再伝送するサブフレームにおいて、第１のＭ２Ｍ機器に対するリソース領域を割り当てるための第２リソース割当情報及び第２のＡＣＩＤを含む第２ＵＬ  Ａ−ＭＡＰ情報要素（ＩＥ）を、ステーション識別子（ＳＴＩＤ）を共有するＭ２Ｍ機器に伝送することと、
前記サブフレームで前記第２のＭ２Ｍ機器から第１のＡＣＩＤを用いて再伝送された前記ＵＬバーストを受信することと、
前記サブフレームで前記第１のＭ２Ｍ機器から前記第２のＡＣＩＤ及び前記第２リソース割当情報を用いて伝送された新しいＵＬバーストを受信することと
を含み、
前記第１のＭ２Ｍ機器と前記第２のＭ２Ｍ機器は、フレームベースに前記ＳＴＩＤを共有し、前記第１のＡＣＩＤと前記第２のＡＣＩＤは互いに異なり、前記第１のＡＣＩＤは、前記第２のＭ２Ｍ機器に割り当てられ、前記第２のＡＣＩＤは、前記第１のＭ２Ｍ機器に割り当てられる、方法。
【請求項２】
前記基地局において、第１リソース割当情報及び前記第１のＡＣＩＤを含む第１ＵＬ  Ａ−ＭＡＰ  ＩＥを、前記ＳＴＩＤを共有するＭ２Ｍ機器に伝送することと、
前記第２のＭ２Ｍ機器から、前記第１リソース割当情報により指示される領域を通じてＵＬバーストを受信することと、
前記ＵＬバーストに誤りが発生すると、受信非確認（ＮＡＣＫ）メッセージを前記第２のＭ２Ｍ機器に伝送することと
をさらに含む、請求項１に記載の方法。
【請求項３】
前記第１ＵＬ  Ａ−ＭＡＰ  ＩＥ及び前記第２ＵＬ  Ａ−ＭＡＰ  ＩＥは、前記Ｍ２Ｍ機器に共有される前記ＳＴＩＤを用いて伝送される、請求項２に記載の方法。
【請求項４】
無線接続システムにおいてＨＡＲＱ（Ｈｙｂｒｉｄ  Ａｕｔｏｍａｔｉｃ  Ｒｅｐｅａｔ  Ｒｅｑｕｅｓｔ）チャネル識別子（ＡＣＩＤ）を用いてＭ２Ｍ（Ｍａｃｈｉｎｅ−ｔｏ−Ｍａｃｈｉｎｅ）機器のＨＡＲＱ動作を支援する方法であって、前記方法は、
Ｍ２Ｍ機器において、ＵＬバーストを再伝送するサブフレームにおいて、割り当てられたリソース領域を指示する第２リソース割当情報及び第２のＡＣＩＤを含むＵＬ  Ａ−ＭＡＰ  ＩＥを基地局から受信することと、
前記第２のＡＣＩＤが再伝送される前記ＵＬバーストの第１のＡＣＩＤと異なると、前記Ｍ２Ｍ機器において、前記サブフレームで前記第１のＡＣＩＤを用いて前記ＵＬバーストを再伝送することと
を含み、
前記Ｍ２Ｍ機器は他のＭ２Ｍ機器とフレームベースにステーション識別子（ＳＴＩＤ）を共有する、方法。
【請求項５】
前記ＵＬ  Ａ−ＭＡＰ  ＩＥは、前記ＳＴＩＤを共有するＭ２Ｍ機器により前記ＳＴＩＤを用いて伝送される、請求項４に記載の方法。
【請求項６】
前記基地局から、前記第１のＡＣＩＤを用いて割り当てられたリソース領域を指示するＵＬ  Ａ−ＭＡＰ  ＩＥを受信することと、
前記第１のＡＣＩＤを用いて割り当てられた前記リソース領域を通じてＵＬバーストを伝送することと、
前記ＵＬバーストに誤りが発生したことを指示するＮＡＣＫメッセージを受信することと
をさらに含む、請求項４に記載の方法。
【請求項７】
無線接続システムにおいてＨＡＲＱ（Ｈｙｂｒｉｄ  Ａｕｔｏｍａｔｉｃ  Ｒｅｐｅａｔ  Ｒｅｑｕｅｓｔ）チャネル識別子（ＡＣＩＤ）を用いてＭ２Ｍ（Ｍａｃｈｉｎｅ−ｔｏ−Ｍａｃｈｉｎｅ）機器のＨＡＲＱ動作を支援する基地局であって、前記基地局は、
送信器と、
受信器と、
前記ＨＡＲＱ動作を支援するためのプロセッサと
を備え、
前記基地局は、
第２のＭ２Ｍ機器がＵＬバーストを再伝送するサブフレームにおいて、第１のＭ２Ｍ機器に対するリソース領域を割り当てるためのリソース割当情報及び第２のＡＣＩＤを含む第２ＵＬ  Ａ−ＭＡＰ  ＩＥを、ステーション識別子（ＳＴＩＤ）を共有するＭ２Ｍ機器に前記送信器を介して伝送することと、
前記サブフレームで前記第２のＭ２Ｍ機器から第１のＡＣＩＤを用いて再伝送された前記ＵＬバーストを前記受信器を介して受信することと、
前記サブフレームで前記第１のＭ２Ｍ機器から前記第２のＡＣＩＤを用いて伝送された新しいＵＬバーストを受信することと
を実行するように構成され、
前記第１のＭ２Ｍ機器と前記第２のＭ２Ｍ機器は、フレームベースに前記ＳＴＩＤを共有し、前記第１のＡＣＩＤと前記第２のＡＣＩＤは互いに異なり、前記第１のＡＣＩＤは、前記第２のＭ２Ｍ機器に割り当てられ、前記第２のＡＣＩＤは、前記第１のＭ２Ｍ機器に割り当てられる、基地局。
【請求項８】
前記基地局は、
第１リソース割当情報及び前記第１のＡＣＩＤを含む第１ＵＬ  Ａ−ＭＡＰ  ＩＥを、前記ＳＴＩＤを共有するＭ２Ｍ機器に伝送し、
前記第２のＭ２Ｍ機器から、前記第１リソース割当情報により指示される領域を通じてＵＬバーストを受信し、
前記ＵＬバーストに誤りが発生すると、受信非確認（ＮＡＣＫ）メッセージを前記第２のＭ２Ｍ機器に伝送する、請求項７に記載の基地局。
【請求項９】
前記第１ＵＬ  Ａ−ＭＡＰ  ＩＥ及び前記第２ＵＬ  Ａ−ＭＡＰ  ＩＥは、前記Ｍ２Ｍ機器に共有される前記ＳＴＩＤを用いて伝送される、請求項８に記載の基地局。
【請求項１０】
無線接続システムにおいてＨＡＲＱ（Ｈｙｂｒｉｄ  Ａｕｔｏｍａｔｉｃ  Ｒｅｐｅａｔ  Ｒｅｑｕｅｓｔ）チャネル識別子（ＡＣＩＤ）を用いてＨＡＲＱ動作を支援するＭ２Ｍ（Ｍａｃｈｉｎｅ−ｔｏ−Ｍａｃｈｉｎｅ）機器であって、前記Ｍ２Ｍ機器は、
送信器と、
受信器と、
前記ＨＡＲＱ動作を支援するためのプロセッサと
を備え、
前記Ｍ２Ｍ機器は、
ＵＬバーストを再伝送するサブフレームにおいて、割り当てられたリソース領域を指示するリソース割当情報及び第２のＡＣＩＤを含むＵＬ  Ａ−ＭＡＰ  ＩＥを基地局から前記受信器を介して受信することと、
前記第２のＡＣＩＤが再伝送される前記ＵＬバーストの第１のＡＣＩＤと異なると、前記サブフレームで前記第１のＡＣＩＤを用いて前記ＵＬバーストを前記送信器を介して再伝送することと
を実行するように構成され、
前記Ｍ２Ｍ機器は他のＭ２Ｍ機器とフレームベースにステーション識別子（ＳＴＩＤ）を共有する、Ｍ２Ｍ機器。
【請求項１１】
前記ＵＬ  Ａ−ＭＡＰ  ＩＥは、前記ＳＴＩＤを共有するＭ２Ｍ機器により前記ＳＴＩＤを用いて伝送される、請求項１０に記載のＭ２Ｍ機器。
【請求項１２】
前記Ｍ２Ｍ機器は、
前記基地局から、前記第１のＡＣＩＤを用いて割り当てられたリソース領域を指示するＵＬ  Ａ−ＭＡＰ  ＩＥを前記受信器を介して受信することと、
前記第１のＡＣＩＤを用いて割り当てられた前記リソース領域を通じてＵＬバーストを前記送信器を介して伝送することと、
前記ＵＬバーストに誤りが発生したことを指示するＮＡＣＫメッセージを前記受信器を介して受信することと
を実行するようにさらに構成される、請求項１１に記載のＭ２Ｍ機器。
【請求項１３】
無線接続システムにおいてＨＡＲＱ（Ｈｙｂｒｉｄ  Ａｕｔｏｍａｔｉｃ  Ｒｅｐｅａｔ  Ｒｅｑｕｅｓｔ）チャネル識別子（ＡＣＩＤ）を用いてＭ２Ｍ（Ｍａｃｈｉｎｅ−ｔｏ−Ｍａｃｈｉｎｅ）機器のＨＡＲＱ動作を支援する方法であって、前記方法は、
基地局において、第２のＭ２Ｍ機器とフレームベースにステーション識別子（ＳＴＩＤ）を共有する第１のＭ２Ｍ機器にＵＬリソースを割り当てることを含み、
前記ＵＬリソースが割り当てられたサブフレームで、前記第１のＭ２Ｍ機器と前記ＳＴＩＤを共有する第２のＭ２Ｍ機器から再伝送されるＵＬバーストがある場合に、前記基地局は、前記再伝送されるＵＬバーストのＡＣＩＤと異なるＡＣＩＤを用いて前記ＵＬリソースを割り当て、前記ＵＬリソースのためのＡＣＩＤは、前記第１のＭ２Ｍ機器に割り当てられ、前記ＵＬバーストのＡＣＩＤは、前記第２のＭ２Ｍ機器に割り当てられる、方法。
【請求項１４】
前記割り当てられたＵＬリソースを指示するリソース割当情報、前記ＵＬバーストの前記ＡＣＩＤと異なるＡＣＩＤ、及び前記ＳＴＩＤを含むＵＬ  Ａ−ＭＡＰ  ＩＥを伝送することをさらに含む、請求項１３に記載の方法。
【発明の詳細な説明】
【技術分野】
【０００１】
本発明は、無線接続システムに係り、特に、Ｍ２Ｍ機器のハイブリッド自動再送方法を支援する様々な方法及び装置に関する。
【背景技術】
【０００２】
以下に機器間通信環境について簡略に説明する。
【０００３】
機器間通信（Ｍ２Ｍ：Ｍａｃｈｉｎｅ  ｔｏ  Ｍａｃｈｉｎｅ）は、言葉の通り、電子装置と電子装置間の通信を意味する。広義には、電子装置間の有線或いは無線通信や、人間が制御する装置と機械間の通信を意味する。しかし、最近では、人間の介入無しで行われる、電子装置と電子装置間の無線通信のことを指すのが一般的である。
【０００４】
Ｍ２Ｍ通信は、その概念が初めて導入された１９９０年代初期には、遠隔調整やテレマティックスレベルの概念として認識されたし、派生する市場自体も非常に限定されていたが、ここ数年間高速成長を重ねながら、全世界的に注目される市場へと成長してきた。特に、販売管理システム（ＰＯＳ、Ｐｏｉｎｔ  Ｏｆ  Ｓａｌｅｓ）と保安関連応用市場における物流管理（Ｆｌｅｅｔ  Ｍａｎａｇｅｍｅｎｔ）、機械及び設備の遠隔モニタリング、建設機械設備上の作動時間測定、及び熱や電気使用量を自動測定する知能検針（Ｓｍａｒｔ  Ｍｅｔｅｒ）などの分野において重大な影響力を発揮してきた。将来のＭ２Ｍ通信は、既存の移動通信、無線超高速インターネット、及びＷｉ−ＦｉやＺｉｇｂｅｅ（登録商標）などの小出力通信ソリューションと連係してより様々な用途に活用され、これまでのＢ２Ｂ（Ｂｕｓｉｎｅｓｓ  ｔｏ  Ｂｕｓｉｎｅｓｓ）市場に限らず、Ｂ２Ｃ（Ｂｕｓｉｎｅｓｓ  ｔｏ  Ｃｏｎｓｕｍｅｒ）市場へとその領域が拡大する見込みである。
【０００５】
Ｍ２Ｍ通信時代に、ＳＩＭ（Ｓｕｂｓｃｒｉｂｅｒ  Ｉｄｅｎｔｉｔｙ  Ｍｏｄｕｌｅ）カードを装着した機械はいずれもデータ送受信ができ、遠隔管理及び統制が可能となる。例えば、自動車、トラック、電車、コンテナ、自動販売機、ガスタンクなどを含めた数多くの機器や装備にＭ２Ｍ通信技術が利用されるなど、その適用範囲は非常に広範囲である。
【０００６】
従来では、端末を個別単位に管理するのが一般的であり、基地局と端末間通信には一対一通信方式が主に行われていた。このような一対一通信方式で数多くのＭ２Ｍ機器が基地局と通信するとすれば、Ｍ２Ｍ機器のそれぞれと基地局間に発生するシグナリングによるネットワーク過負荷が予想される。上述したように、Ｍ２Ｍ通信が急に拡散され広範囲化する場合、Ｍ２Ｍ機器同士間、又は各Ｍ２Ｍ機器と基地局間の通信によるオーバーヘッド（ｏｖｅｒｈｅａｄ）が問題になることがある。
【０００７】
しかも、Ｍ２Ｍシステムでは人間がＭ２Ｍ機器の動作に介入しないため、Ｍ２Ｍ機器に異常な停電状況（ｐｏｗｅｒ  ｏｕｔａｇｅ  ｅｖｅｎｔ）が起こることがある。このような場合、当該Ｍ２Ｍ機器が属している地点における大部分のＭ２Ｍ機器に停電状況が発生することになる。
【０００８】
停電状況が発生した場合、Ｍ２Ｍ機器はその停電状況について基地局に報告しなければならない。例えば、遊休モードにあるＭ２Ｍ機器は停電状況を報告するためにレンジング手順を行えばよく、このような場合、各Ｍ２Ｍ機器間衝突が発生することがある。また、正常状態にあるＭ２Ｍ機器は停電状況を報告するために帯域幅要請手順を行えばよいが、このような場合にも、Ｍ２Ｍ機器間衝突が発生する確率が高くなる。
【０００９】
Ｍ２Ｍ機器間衝突が発生すると、衝突状況を回復するために衝突解決（Ｃｏｌｌｉｓｉｏｎ  Ｒｅｓｏｌｕｔｉｏｎ）手順が行われる。そのため、正常でない停電状況が発生すると、Ｍ２Ｍ機器に余分の電力消耗が増加し、システムリソースの効率性が低下することがある。
【発明の概要】
【発明が解決しようとする課題】
【００１０】
本発明は上記のような一般的な技術の問題点を解決するために案出されたもので、本発明の目的は、Ｍ２Ｍ機器のための効率的な通信方法を提供することにある。
【００１１】
本発明の他の目的は、同一のステーション識別子を共有するＭ２Ｍ機器に対して再伝送状況が発生する場合に、アップリンクリソースを割り当てる方法を提供することにある。
【００１２】
本発明のさらに他の目的は、同一のステーション識別子を共有するＭ２Ｍ機器間の衝突がないアップリンクハイブリッド自動再送（ＨＡＲＱ）方法を提供することにある。
【００１３】
本発明のさらに他の目的は、上記の方法を支援する装置を提供することにある。
【００１４】
本発明で達成しようとする技術的課題は、以上に言及した技術的課題に制限されるものではなく、言及していない他の技術的課題は、以下に説明する本発明の実施例から、本発明の属する技術の分野における通常の知識を有する者にとって考慮されるだろう。
【課題を解決するための手段】
【００１５】
上記の技術的課題を解決するために、本発明は、Ｍ２Ｍ機器に対する様々なＨＡＲＱ動作支援方法を提供する。
【００１６】
本発明の第１実施例として、無線接続システムにおいてＨＡＲＱチャネル識別子を用いてＭ２Ｍ機器のＨＡＲＱ動作を支援する方法は、基地局が第２のＭ２Ｍ機器がアップリンク（ＵＬ）バーストを再伝送するサブフレームに、第１のＭ２Ｍ機器に対するリソース領域を割り当てるための第２リソース割当情報及び第２のＨＡＲＱチャネル識別子（ＡＣＩＤ  ２）を含む第２アップリンクマップ情報要素（ＵＬ  Ａ−ＭＡＰ  ＩＥ）を、ステーション識別子（ＳＴＩＤ）を共有するＭ２Ｍ機器に伝送するステップと、該サブフレームで第２のＭ２Ｍ機器から第１のＨＡＲＱチャネル識別子（第１のＡＣＩＤ）を用いて再伝送されたＵＬバーストを受信するステップと、該サブフレームで第１のＭ２Ｍ機器から第２のＡＣＩＤ及び第２リソース割当情報を用いて伝送された新しいＵＬバーストを受信するステップと、を含むことを特徴とする。ここで、第１のＭ２Ｍ機器と第２のＭ２Ｍ機器はＳＴＩＤを共有し、第１のＡＣＩＤと第２のＡＣＩＤは互いに異なることが好ましい。
【００１７】
前記第１実施例は、基地局が第１リソース割当情報及び第１のＡＣＩＤを含む第１アップリンクマップ情報要素（ＵＬ  Ａ−ＭＡＰ  ＩＥ）を、ステーション識別子を共有するＭ２Ｍ機器に伝送するステップと、第２のＭ２Ｍ機器から、第１リソース割当情報が指示する領域を通じてアップリンク（ＵＬ）バーストを受信するステップと、ＵＬバーストに誤りが発生すると、受信非確認（ＮＡＣＫ）メッセージを第２のＭ２Ｍ機器に伝送するステップと、をさらに含んでもよい。
【００１８】
ここで、第１アップリンクマップ情報要素及び第２アップリンクマップ情報要素は、Ｍ２Ｍ機器に共有されるＳＴＩＤを用いて伝送されるとよい。
【００１９】
本発明の第２実施例として、無線接続システムにおいてＨＡＲＱチャネル識別子を用いてＭ２Ｍ機器のＨＡＲＱ動作を支援する方法は、Ｍ２Ｍ機器がアップリンク（ＵＬ）バーストを再伝送するサブフレームに、割り当てられたリソース領域を指示する第２リソース割当情報及び第２のＨＡＲＱチャネル識別子（ＡＣＩＤ）を含むアップリンクマップ情報要素（ＵＬ  Ａ−ＭＡＰ  ＩＥ）を基地局から受信するステップと、第２のＡＣＩＤが再伝送するＵＬバーストの第１のＡＣＩＤと異なると、Ｍ２Ｍ機器は、該サブフレームで第２のＡＣＩＤ及び第２リソース割当情報を用いてアップリンクバーストを再伝送するステップと、を含むことを特徴とする。ここで、Ｍ２Ｍ機器は他のＭ２Ｍ機器とステーション識別子（ＳＴＩＤ）を共有する。
【００２０】
また、アップリンクマップ情報要素はＳＴＩＤを用いて伝送され、アップリンクマップ情報要素は、ＳＴＩＤを共有するＭ２Ｍ機器に伝送されるとよい。
【００２１】
前記第２実施例は、基地局から第１のＡＣＩＤを用いて割り当てられたリソース領域を指示するアップリンクマップ情報要素（ＵＬ  Ａ−ＭＡＰ  ＩＥ）を受信するステップと、第１のＡＣＩＤを用いて割り当てられたリソース領域を通じてアップリンク（ＵＬ）バーストを伝送するステップと、ＵＬバーストに誤りが発生したことを指示する受信非確認（ＮＡＣＫ）メッセージを受信するステップと、をさらに含んでもよい。
【００２２】
本発明の第３実施例として、無線接続システムにおいてＨＡＲＱチャネル識別子を用いてＭ２Ｍ機器のＨＡＲＱ動作を支援する基地局は、送信器、受信器、及びＨＡＲＱ動作を支援するためのプロセッサを備えることを特徴とする。
【００２３】
ここで、基地局は、第２のＭ２Ｍ機器がアップリンク（ＵＬ）バーストを再伝送するサブフレームに、第１のＭ２Ｍ機器に対するリソース領域を割り当てるための第２リソース割当情報及び第２のＨＡＲＱチャネル識別子（ＡＣＩＤ  ２）を含む第２アップリンクマップ情報要素（ＵＬ  Ａ−ＭＡＰ  ＩＥ）を、ステーション識別子（ＳＴＩＤ）を共有するＭ２Ｍ機器に前記送信器を用いて伝送し、該サブフレームで第２のＭ２Ｍ機器から第１のＨＡＲＱチャネル識別子（第１のＡＣＩＤ）を用いて再伝送されたＵＬバーストを受信器を用いて受信し、該サブフレームで第１のＭ２Ｍ機器から第２のＡＣＩＤ及び第２リソース割当情報を用いて伝送された新しいＵＬバーストを受信器を用いて受信するとよい。ここで、第１のＭ２Ｍ機器と第２のＭ２Ｍ機器はＳＴＩＤを共有し、第１のＡＣＩＤと第２のＡＣＩＤは互いに異なることが好ましい。
【００２４】
ここで、基地局は、第１リソース割当情報及び第１のＡＣＩＤを含む第１アップリンクマップ情報要素（ＵＬ  Ａ−ＭＡＰ  ＩＥ）を、ステーション識別子を共有するＭ２Ｍ機器に伝送し、第２のＭ２Ｍ機器から、第１リソース割当情報が指示する領域を通じてアップリンク（ＵＬ）バーストを受信し、ＵＬバーストに誤りが発生したことを指示する受信非確認（ＮＡＣＫ）メッセージを第２のＭ２Ｍ機器に伝送してもよい。
【００２５】
第１アップリンクマップ情報要素及び第２アップリンクマップ情報要素は、Ｍ２Ｍ機器に共有されるＳＴＩＤを用いて伝送されるとよい。
【００２６】
本発明の第４実施例として、無線接続システムにおいてＨＡＲＱチャネル識別子を用いてＨＡＲＱ動作を支援するＭ２Ｍ機器は、送信器、受信器、及びＨＡＲＱ動作を支援するためのプロセッサを備えることを特徴とする。
【００２７】
ここで、Ｍ２Ｍ機器は、アップリンク（ＵＬ）バーストを再伝送するサブフレームに割り当てられたリソース領域を指示する第２リソース割当情報及び第２のＨＡＲＱチャネル識別子（ＡＣＩＤ）を含むアップリンクマップ情報要素（ＵＬ  Ａ−ＭＡＰ  ＩＥ）を基地局から受信器を用いて受信し、第２のＡＣＩＤが再伝送するＵＬバーストの第１のＡＣＩＤと異なると、Ｍ２Ｍ機器は、当該サブフレームで第２のＡＣＩＤを用いてアップリンクバーストを送信器を用いて再伝送するとよい。ここで、Ｍ２Ｍ機器は、他のＭ２Ｍ機器とステーション識別子（ＳＴＩＤ）を共有してもよい。
【００２８】
ここで、アップリンクマップ情報要素は、前記ＳＴＩＤを用いて伝送され、アップリンクマップ情報要素は、ＳＴＩＤを共有するＭ２Ｍ機器に伝送されてもよい。
【００２９】
前記第４実施例は、基地局から、第１のＡＣＩＤを用いて割り当てられたリソース領域を指示するアップリンクマップ情報要素（ＵＬ  Ａ−ＭＡＰ  ＩＥ）を受信器を用いて受信し、第１のＡＣＩＤを用いて割り当てられたリソース領域を通じてアップリンク（ＵＬ）バーストを送信器を用いて伝送し、ＵＬバーストに誤りが発生したことを指示する受信非確認（ＮＡＣＫ）メッセージを受信器を用いて受信してもよい。
【００３０】
本発明の第５実施例として、無線接続システムにおいてＨＡＲＱチャネル識別子（ＡＣＩＤ）を用いてＭ２Ｍ機器のＨＡＲＱ動作を支援する方法は、基地局が、ステーション識別子（ＳＴＩＤ）を共有する第１のＭ２Ｍ機器にアップリンクリソースを割り当てるステップを含む。ここで、アップリンクリソースの割り当てられたサブフレームで第１のＭ２Ｍ機器とＳＴＩＤを共有する第２のＭ２Ｍ機器から再伝送されるアップリンクバーストがある場合に、基地局は、再伝送されるＵＬバーストのＡＣＩＤと異なるＡＣＩＤを用いてアップリンクリソースを割り当てるとよい。
【００３１】
前記第５実施例は、割り当てられたアップリンクリソースを指示するリソース割当情報、異なるＡＣＩＤ、及びＳＴＩＤを含むアップリンクマップ情報要素を伝送するステップをさらに含んでもよい。
【００３２】
上述した第１実施例乃至第５実施例は、本発明の好適な一部の実施例に過ぎず、本願発明の技術的特徴が反映された様々な実施例が、当該技術の分野における通常の知識を有する者にとって、以下に詳述する本発明の詳細な説明から導出でき、理解されるであろう。
本明細書は、例えば、以下の項目も提供する。
（項目１）
無線接続システムにおいてＨＡＲＱチャネル識別子を用いてＭ２Ｍ機器のＨＡＲＱ動作を支援する方法であって、
基地局が、第２のＭ２Ｍ機器がアップリンク（ＵＬ）バーストを再伝送するサブフレームに、第１のＭ２Ｍ機器に対するリソース領域を割り当てるための第２リソース割当情報及び第２のＨＡＲＱチャネル識別子（ＡＣＩＤ）を含む第２アップリンクマップ情報要素（ＵＬ  Ａ−ＭＡＰ  ＩＥ）を、ステーション識別子（ＳＴＩＤ）を共有するＭ２Ｍ機器に伝送することと、
前記サブフレームで前記第２のＭ２Ｍ機器から第１のＨＡＲＱチャネル識別子を用いて再伝送された前記ＵＬバーストを受信することと、
前記サブフレームで前記第１のＭ２Ｍ機器から前記第２のＡＣＩＤ及び前記第２リソース割当情報を用いて伝送された新しいＵＬバーストを受信することと、
を含み、
前記第１のＭ２Ｍ機器と前記第２のＭ２Ｍ機器は、前記ＳＴＩＤを共有し、前記第１のＡＣＩＤと前記第２のＡＣＩＤは互いに異なることを特徴とする、ＨＡＲＱ動作支援方法。
（項目２）
前記基地局が、第１リソース割当情報及び前記第１のＡＣＩＤを含む第１アップリンクマップ情報要素（ＵＬ  Ａ−ＭＡＰ  ＩＥ）を、前記ステーション識別子を共有するＭ２Ｍ機器に伝送することと、
前記第２のＭ２Ｍ機器から前記第１リソース割当情報が指示する領域を通じてアップリンク（ＵＬ）バーストを受信することと、
前記ＵＬバーストに誤りが発生すると、受信非確認（ＮＡＣＫ）メッセージを前記第２のＭ２Ｍ機器に伝送することと、をさらに含む、項目１に記載のＨＡＲＱ動作支援方法。
（項目３）
前記第１アップリンクマップ情報要素及び前記第２アップリンクマップ情報要素は、前記Ｍ２Ｍ機器に共有される前記ＳＴＩＤを用いて伝送される、項目１に記載のＨＡＲＱ動作支援方法。
（項目４）
無線接続システムにおいてＨＡＲＱチャネル識別子を用いてＭ２Ｍ機器のＨＡＲＱ動作を支援する方法であって、
Ｍ２Ｍ機器がアップリンク（ＵＬ）バーストを再伝送するサブフレームに、割り当てられたリソース領域を指示する第２リソース割当情報及び第２のＨＡＲＱチャネル識別子（ＡＣＩＤ）を含むアップリンクマップ情報要素（ＵＬ  Ａ−ＭＡＰ  ＩＥ）を基地局から受信することと、
前記第２のＡＣＩＤが再伝送する前記ＵＬバーストの第１のＡＣＩＤと異なると、前記Ｍ２Ｍ機器は前記サブフレームで前記第１のＡＣＩＤを用いて前記アップリンクバーストを再伝送することと、
を含み、
前記Ｍ２Ｍ機器は他のＭ２Ｍ機器とステーション識別子（ＳＴＩＤ）を共有する、ＨＡＲＱ動作支援方法。
（項目５）
前記アップリンクマップ情報要素は、前記ＳＴＩＤを用いて伝送され、
前記アップリンクマップ情報要素は、前記ＳＴＩＤを共有するＭ２Ｍ機器に伝送される、項目４に記載のＨＡＲＱ動作支援方法。
（項目６）
前記基地局から、前記第１のＡＣＩＤを用いて割り当てられたリソース領域を指示するアップリンクマップ情報要素（ＵＬ  Ａ−ＭＡＰ  ＩＥ）を受信することと、
前記第１のＡＣＩＤを用いて割り当てられた前記リソース領域を通じてアップリンク（ＵＬ）バーストを伝送することと、
前記ＵＬバーストに誤りが発生したことを指示する受信非確認（ＮＡＣＫ）メッセージを受信することと、
をさらに含む、項目４に記載のＨＡＲＱ動作支援方法。
（項目７）
無線接続システムにおいてＨＡＲＱチャネル識別子を用いてＭ２Ｍ機器のＨＡＲＱ動作を支援する基地局であって、
送信器と、
受信器と、
前記ＨＡＲＱ動作を支援するためのプロセッサと、
を備え、
前記基地局は、
第２のＭ２Ｍ機器がアップリンク（ＵＬ）バーストを再伝送するサブフレームに、第１のＭ２Ｍ機器に対するリソース領域を割り当てるための第２リソース割当情報及び第２のＨＡＲＱチャネル識別子（ＡＣＩＤ  ２）を含む第２アップリンクマップ情報要素（ＵＬ  Ａ−ＭＡＰ  ＩＥ）を、ステーション識別子（ＳＴＩＤ）を共有するＭ２Ｍ機器に前記送信器を用いて伝送し、
前記サブフレームで前記第２のＭ２Ｍ機器から第１のＨＡＲＱチャネル識別子（第１のＡＣＩＤ）を用いて再伝送された前記ＵＬバーストを前記受信器を用いて受信し、
前記サブフレームで前記第１のＭ２Ｍ機器から前記第２のＡＣＩＤを用いて伝送された新しいＵＬバーストを前記受信器を用いて受信する、ように構成され、
前記第１のＭ２Ｍ機器と前記第２のＭ２Ｍ機器は前記ＳＴＩＤを共有し、前記第１のＡＣＩＤと前記第２のＡＣＩＤは互いに異なることを特徴とする、基地局。
（項目８）
前記基地局は、
第１リソース割当情報及び前記第１のＡＣＩＤを含む第１アップリンクマップ情報要素（ＵＬ  Ａ−ＭＡＰ  ＩＥ）を、前記ステーション識別子を共有するＭ２Ｍ機器に伝送し、
前記第２のＭ２Ｍ機器から、前記第１リソース割当情報が指示する領域を通じてアップリンク（ＵＬ）バーストを受信し、
前記ＵＬバーストに誤りが発生すると、受信非確認（ＮＡＣＫ）メッセージを前記第２のＭ２Ｍ機器に伝送することを特徴とする、項目７に記載の基地局。
（項目９）
前記第１アップリンクマップ情報要素及び前記第２アップリンクマップ情報要素は、前記Ｍ２Ｍ機器に共有される前記ＳＴＩＤを用いて伝送される、項目７に記載の基地局。
（項目１０）
無線接続システムにおいてＨＡＲＱチャネル識別子を用いてＨＡＲＱ動作を支援するＭ２Ｍ機器であって、
送信器と、
受信器と、
前記ＨＡＲＱ動作を支援するためのプロセッサと、
を備え、
前記Ｍ２Ｍ機器は、
アップリンク（ＵＬ）バーストを再伝送するサブフレームに、割り当てられたリソース領域を指示する第２リソース割当情報及び第２のＨＡＲＱチャネル識別子（ＡＣＩＤ）を含むアップリンクマップ情報要素（ＵＬ  Ａ−ＭＡＰ  ＩＥ）を基地局から前記受信器を用いて受信し、
前記第２のＡＣＩＤが再伝送する前記ＵＬバーストの第１のＡＣＩＤと異なると、前記Ｍ２Ｍ機器は前記サブフレームで前記第１のＡＣＩＤを用いて前記アップリンクバーストを前記送信器を用いて再伝送するように構成され、
前記Ｍ２Ｍ機器は他のＭ２Ｍ機器とステーション識別子（ＳＴＩＤ）を共有する、Ｍ２Ｍ機器。
（項目１１）
前記アップリンクマップ情報要素は、前記ＳＴＩＤを用いて伝送され、
前記アップリンクマップ情報要素は、前記ＳＴＩＤを共有するＭ２Ｍ機器に伝送される、項目１０に記載のＭ２Ｍ機器。
（項目１２）
前記基地局から、前記第１のＡＣＩＤを用いて割り当てられたリソース領域を指示するアップリンクマップ情報要素（ＵＬ  Ａ−ＭＡＰ  ＩＥ）を前記受信器を用いて受信し、
前記第１のＡＣＩＤを用いて割り当てられた前記リソース領域を通じてアップリンク（ＵＬ）バーストを前記送信器を用いて伝送し、
前記ＵＬバーストに誤りが発生したことを指示する受信非確認（ＮＡＣＫ）メッセージを前記受信器を用いて受信する、項目１１に記載のＭ２Ｍ機器。
（項目１３）
無線接続システムにおいてＨＡＲＱチャネル識別子（ＡＣＩＤ）を用いてＭ２Ｍ機器のＨＡＲＱ動作を支援する方法であって、
基地局が、第２のＭ２Ｍ機器のステーション識別子（ＳＴＩＤ）を共有する第１のＭ２Ｍ機器にアップリンクリソースを割り当てること、を含み、
前記アップリンクリソースの割り当てられたサブフレームで、前記第１のＭ２Ｍ機器と前記ＳＴＩＤを共有する第２のＭ２Ｍ機器から再伝送されるアップリンクバーストがある場合に、前記基地局は、前記再伝送されるＵＬバーストのＡＣＩＤと異なるＡＣＩＤを用いて前記アップリンクリソースを割り当てることを特徴とする、ＨＡＲＱ動作支援方法。
（項目１４）
割り当てられた前記アップリンクリソースを指示するリソース割当情報、前記異なるＡＣＩＤ、及び前記ＳＴＩＤを含むアップリンクマップ情報要素を伝送することをさらに含む、項目１３に記載のＨＡＲＱ動作支援方法。
【発明の効果】
【００３３】
本発明の実施例によれば、下記の効果が得られる。
【００３４】
第一に、Ｍ２Ｍ機器の効率的な通信方法を提供できる。
【００３５】
第二に、ＴＤＤ環境において、同一のステーション識別子を共有するＭ２Ｍ機器に対して再伝送状況が発生する場合にもアップリンクリソースを割り当てることができる。
【００３６】
第三に、同一のステーション識別子を共有するＭ２Ｍ機器に対して互いに衝突のないアップリンクハイブリッド自動再送（ＨＡＲＱ）方法を提供することができる。
【００３７】
本発明の実施例から得られる効果は、以上に言及した効果に制限されず、言及していない別の効果は、以下の本発明の実施例に関する記載から、本発明の属する技術の分野における通常の知識を有する者にとって明確に導出でき理解されるであろう。すなわち、本発明を実施する上での意図しない効果も、本発明の実施例から、当該技術の分野における通常の知識を有する者にとっては導出可能である。
【図面の簡単な説明】
【００３８】
以下に説明される添付の図面は、本発明に関する理解を助けるためのもので、詳細な説明と共に本発明の実施例を提供する。ただし、本発明の技術的特徴が特定の図面に限定されるものではなく、各図面で開示する特徴は互いに組み合わされて新しい実施例を構成してもよい。
【図１】本発明の実施例に係るＭ２Ｍ機器及び基地局の装置構成を概略的に説明するための図である。
【図２】ＦＤＤ  ＤＬ  ＨＡＲＱ伝送方法の一例を示す図である。
【図３】ＦＤＤ  ＵＬ  ＨＡＲＱ伝送方法の一例を示す図である。
【図４】ＴＤＤ  ＤＬ  ＨＡＲＱ伝送方法の一例を示す図である。
【図５】ＴＤＤ  ＵＬ  ＨＡＲＱ伝送方法の一例を示す図である。
【図６】ＴＤＭベースのステーション識別子（ＳＴＩＤ）を共有する方法の一例を示す図である。
【図７】本発明の実施例に係る、ＳＴＩＤを共有するＭ２Ｍ機器が使用するＨＡＲＱタイミング及びＡ−ＭＡＰ関連性を示す図である。
【図８】本発明の実施例に係る、ＨＡＲＱチャネル識別子（ＡＣＩＤ）を用いてアップリンクＨＡＲＱ動作を支援する方法を示す図である。
【発明を実施するための形態】
【００３９】
本発明の実施例は、Ｍ２Ｍ環境を支援する無線接続システムにおいて、Ｍ２Ｍ機器のＨＡＲＱ動作を支援する方法及び装置を提供する。
【００４０】
以下の実施例は、本発明の構成要素及び特徴を所定の形態で結合したものである。各構成要素又は特徴は、別に明示しない限り、選択的なものとして考慮すればよい。各構成要素又は特徴は、他の構成要素や特徴と結合しない形態で実施されてもよく、一部の構成要素及び／又は特徴が結合されて本発明の実施例を構成してもよい。本発明の実施例で説明される動作の順序は変更可能である。ある実施例における一部の構成や特徴は、他の実施例に含まれてもよく、他の実施例の対応する構成又は特徴に代えてもよい。
【００４１】
図面についての説明において、本発明の要旨を曖昧にする手順又は段階などは記述しなかったし、当業者のレベルで理解できるような手順又は段階も記述しなかった。
【００４２】
本明細書において、本発明の実施例は、基地局と移動局間のデータ送受信関係を中心にして説明された。ここで、基地局は、移動局と直接的に通信を行うネットワークの終端ノード（ｔｅｒｍｉｎａｌ  ｎｏｄｅ）としての意味を有する。本文書において基地局により行われると説明された特定動作は、場合によっては、基地局の上位ノード（ｕｐｐｅｒ  ｎｏｄｅ）により行われてもよい。
【００４３】
すなわち、基地局を含む多数のネットワークノード（ｎｅｔｗｏｒｋ  ｎｏｄｅｓ）で構成されるネットワークにおいて移動局との通信のために行われる様々な動作は、基地局又は基地局以外の他のネットワークノードにより行われる。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、進展した基地局（ＡＢＳ：Ａｄｖａｎｃｅｄ  Ｂａｓｅ  Ｓｔａｔｉｏｎ）又はアクセスポイント（ａｃｃｅｓｓ  ｐｏｉｎｔ）などの用語に代えてもよい。
【００４４】
また、「移動局（ＭＳ：Ｍｏｂｉｌｅ  Ｓｔａｔｉｏｎ）」は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、進展した移動端末（ＡＭＳ：Ａｄｖａｎｃｅｄ  Ｍｏｂｉｌｅ  Ｓｔａｔｉｏｎ）又は端末（Ｔｅｒｍｉｎａｌ）などの用語に代えてもよい。特に、本発明では、移動局はＭ２Ｍ機器と同じ意味で使われてよい。
【００４５】
また、送信端は、データサービス又は音声サービスを提供する固定及び／又は移動ノードのことを指し、受信端は、データサービス又は音声サービスを受信する固定及び／又は移動ノードのことを意味する。そのため、アップリンクでは移動局が送信端となり、基地局が受信端となればよい。同様に、ダウンリンクでは移動局が受信端となり、基地局が送信端となればよい。
【００４６】
本発明の実施例は、無線接続システムであるＩＥＥＥ  ８０２．ｘｘシステム、３ＧＰＰシステム、３ＧＰＰ  ＬＴＥシステム及び３ＧＰＰ２システムの少なくとも一方に開示された標準文書によりサポート可能である。すなわち、本発明の実施例において説明されていない明らかな段階又は部分は、上記の文書を参照して説明すればよい。
【００４７】
また、本文書で開示している全ての用語は上記の標準文書により説明可能である。特に、本発明の実施例は、ＩＥＥＥ  ８０２．１６システムの標準文書であるＰ８０２．１６ｅ−２００４、Ｐ８０２．１６ｅ−２００５、Ｐ８０２．１６ｍ、Ｐ８０２．１６ｐ及びＰ８０２．１６．１ｂ標準文書の一つ以上によりサポート可能である。
【００４８】
以下、本発明に係る好適な実施の形態を、添付の図面を参照して詳しく説明する。添付の図面と共に以下に開示される詳細な説明は、本発明の例示的な実施の形態を説明するもので、本発明が実施され得る唯一の実施の形態を示すためのものではない。
【００４９】
以下では、添付の図面を参照して本発明の実施例について、本発明の属する技術分野における通常の知識を有する者が容易に実施できるように詳細に説明する。しかし、本発明は、様々な形態で実施可能であり、ここで説明する実施例に限定されない。そして、図面において本発明を明確に説明するために説明と関係ない部分は省略し、また、明細書全体を通じて同一の部分には同一の図面符号を付する。
【００５０】
明細書全体を通じて、ある部分がある構成要素を「含む」とするとき、これは、特別な記載がない限り、他の構成要素を除外する意味ではなく、他の構成要素をさらに含んでもよいという意味である。また、明細書に記載された「…部」、「…機」、「モジュール」などの用語は、少なくとも一つの機能や動作を処理する単位を意味するもので、ハードウェア、ソフトウェア、又はハードウェアとソフトウェアとの結合により得られる。
【００５１】
また、本発明の実施例で使われる特定用語は、本発明の理解を助けるために提供されるものであり、このような特定用語の使用は、本発明の技術的思想から逸脱しない範囲で他の形態に変更されてもよい。
【００５２】
１．Ｍ２Ｍ機器一般
以下で、Ｍ２Ｍ機器間の通信は、基地局を経由した端末間、人間の介入無しで基地局と端末間で行う通信の形態、又はＭ２Ｍ機器間の通信の形態を意味する。したがって、Ｍ２Ｍ機器（Ｄｅｖｉｃｅ）は、上記のようなＭ２Ｍ機器間の通信を支援可能な端末を意味する。
【００５３】
Ｍ２Ｍサービスのための接続サービスネットワークは、Ｍ２Ｍ  ＡＳＮ（Ｍ２Ｍ  Ａｃｃｅｓｓ  Ｓｅｒｖｉｃｅ  Ｎｅｔｗｏｒｋ）と定義し、Ｍ２Ｍ機器と通信するネットワークエンティティをＭ２Ｍサーバーという。Ｍ２Ｍサーバーは、Ｍ２Ｍアプリケーションを行い、一つ以上のＭ２Ｍ機器のためのＭ２Ｍ特定サービスを提供する。Ｍ２Ｍフィーチャ（ｆｅａｔｕｒｅ）は、Ｍ２Ｍアプリケーションの特徴であり、アプリケーションを提供するのに一つ以上の特徴が必要となり得る。Ｍ２Ｍ機器グループは、共通の一つ以上の特徴を共有するＭ２Ｍ機器のグループを意味する。
【００５４】
Ｍ２Ｍ方式で通信する機器（例えば、Ｍ２Ｍ機器、Ｍ２Ｍ通信機器、ＭＴＣ（Ｍａｃｈｉｎｅ  Ｔｙｐｅ  Ｃｏｍｍｕｎｉｃａｔｉｏｎ）機器のように様々に呼ばれてもよい。）は、その機器アプリケーションタイプ（Ｍａｃｈｉｎｅ  Ａｐｐｌｉｃａｔｉｏｎ  Ｔｙｐｅ）が増加するに伴って一定のネットワークにおいてその数が次第に増えていくだろう。
【００５５】
機器アプリケーションタイプには、（１）保安（Ｓｅｃｕｒｉｔｙ）、（２）治安（ｐｕｂｌｉｃ  ｓａｆｅｔｙ）、（３）トラッキング及びトレーシング（ｔｒａｃｋｉｎｇ  ａｎｄ  ｔｒａｃｉｎｇ）、（４）支払い（ｐａｙｍｅｎｔ）、（５）健康管理（ｈｅａｌｔｈｃａｒｅ）、（６）遠隔保守及び制御（ｒｅｍｏｔｅ  ｍａｉｎｔｅｎａｎｃｅ  ａｎｄ  ｃｏｎｔｒｏｌ）、（７）検針（ｍｅｔｅｒｉｎｇ）、（８）消費者装置（ｃｏｎｓｕｍｅｒ  ｄｅｖｉｃｅ）、（９）販売管理システム（ＰＯＳ、Ｐｏｉｎｔ  Ｏｆ  Ｓａｌｅｓ）と保安関連応用市場における物流管理（Ｆｌｅｅｔ  Ｍａｎａｇｅｍｅｎｔ）、（１０）自動販売機（Ｖｅｎｄｉｎｇ  Ｍａｃｈｉｎｅ）の機器間通信、（１１）機械及び設備の遠隔モニタリング、建設機械設備上の作動時間測定及び熱や電気使用量を自動測定する知能検針（Ｓｍａｒｔ  Ｍｅｔｅｒ）、（１２）監視カメラの監視ビデオ（Ｓｕｒｖｅｉｌｌａｎｃｅ  Ｖｉｄｅｏ）通信などがある。ただし、これらに機器アプリケーションタイプが限定されることはなく、その他の様々な機器アプリケーションタイプが適用されてもよい。
【００５６】
Ｍ２Ｍ機器の他の特性には、Ｍ２Ｍ機器の低い移動性、又は一度設置されるとほとんど移動しないという特性がある。すなわち、Ｍ２Ｍ機器はだいぶ長い間固定された（ｓｔａｔｉｏｎａｒｙ）状態を維持する。Ｍ２Ｍ通信システムは、保安接続及び監視（ｓｅｃｕｒｅｄ  ａｃｃｅｓｓ  ａｎｄ  ｓｕｒｖｅｉｌｌａｎｃｅ）、治安（ｐｕｂｌｉｃ  ｓａｆｅｔｙ）、支払い（ｐａｙｍｅｎｔ）、遠隔保守及び制御（ｒｅｍｏｔｅ  ｍａｉｎｔｅｎａｎｃｅ  ａｎｄ  ｃｏｎｔｒｏｌ）、検針（ｍｅｔｅｒｉｎｇ）などのような、固定された位置を有する特定Ｍ２Ｍアプリケーションのための移動性−関連動作を単純化又は最適化可能である。
【００５７】
このように機器アプリケーションタイプが増加するに伴ってＭ２Ｍ通信機器の数は一般の移動通信機器の数に比べて飛躍的に増加するだろう。そのため、これらの機器がそれぞれ個別に基地局と通信を行う場合は、無線インターフェース及び／又はネットワークに深刻な負荷を招くことがある。
【００５８】
以下では、Ｍ２Ｍ通信が無線通信システム（例えば、Ｐ８０２．１６ｅ、Ｐ８０２．１６ｍ、Ｐ８０２．１６．１ｂ、Ｐ８０２．１６ｐなど）に適用される場合を取り上げて本発明の実施例を説明する。ただし、本発明はこれに限定されず、３ＧＰＰ  ＬＴＥ／ＬＴＥ−Ａシステムなどの他の通信システムに適用されてもよい。
【００５９】
図１は、本発明の実施例に係るＭ２Ｍ機器及び基地局などの装置構成を概略的に説明するための図である。
【００６０】
同図で、Ｍ２Ｍ機器１００及び基地局１５０はそれぞれ、無線周波数ユニット（ＲＦユニット）１１０，１６０、プロセッサ１２０，１７０、及び選択的にメモリー１３０，１８０を備えている。同図では、１個のＭ２Ｍ機器と１個の基地局の構成を示しているが、複数のＭ２Ｍ機器と基地局間にＭ２Ｍ通信環境が構築されてもよい。
【００６１】
各ＲＦユニット１１０，１６０はそれぞれ、送信器１１１，１６１及び受信器１１２，１６２を備えている。Ｍ２Ｍ機器１００の送信器１１１及び受信器１１２は、基地局１５０及び他のＭ２Ｍ機器と信号を送信及び受信するように構成され、プロセッサ１２０は、送信器１１１及び受信器１１２と機能的に接続され、送信器１１１及び受信器１１２が他の機器と信号を送受信する過程を制御するように構成されるとよい。また、プロセッサ１２０は、伝送すべき信号に対する各種処理を行った後当該信号を送信器１１１に伝送し、受信器１１２に受信された信号に対する処理を行ってもよい。
【００６２】
必要時に、プロセッサ１２０は、交換されたメッセージに含まれた情報をメモリー１３０に保存してもよい。このような構造を用いて、Ｍ２Ｍ機器１００は、以下に説明する本発明に係る様々な実施の形態の方法を行うことができる。
【００６３】
一方、図１に示してはいないが、Ｍ２Ｍ機器１００は、その機器アプリケーションタイプによって様々な追加構成を備えていてもよい。例えば、当該Ｍ２Ｍ機器１００が知能型計量のためのものであれば、当該Ｍ２Ｍ機器１００は、電力測定などのための追加的な構成を備えていてもよい。なお、この電力測定の動作は、図１に示したプロセッサ１２０により制御されてもよく、別に構成されたプロセッサ（図示せず）により制御されてもよい。
【００６４】
図１は、Ｍ２Ｍ機器１００と基地局１５０間に通信がなされる場合を例示しているが、本発明に係るＭ２Ｍ通信方法は、一つ以上のＭ２Ｍ機器同士間にも適用可能であり、それぞれの機器は、図１に示した各装置構成と同じ形態により、以下に説明する様々な実施の形態による方法を行えばよい。
【００６５】
基地局１５０の送信器１６１及び受信器１６２は、他の基地局、Ｍ２Ｍサーバー、Ｍ２Ｍ機器と信号を送信及び受信するように構成され、プロセッサ１７０は、送信器１６１及び受信器１６２と機能的に接続され、送信器１６１及び受信器１６２が他の機器と信号を送受信する過程を制御するように構成されるとよい。また、プロセッサ１７０は、伝送すべき信号に対する各種処理を行った後当該信号を送信器１６１に伝送し、受信器１６２に受信された信号に対する処理を行ってもよい。必要時に、プロセッサ１７０は、交換されたメッセージに含まれた情報をメモリー１３０に保存してもよい。このような構造により、基地局１５０は、以下に説明する様々な実施の形態による方法を行えばよい。
【００６６】
Ｍ２Ｍ機器１００及び基地局１５０のそれぞれのプロセッサ１２０，１７０はそれぞれ、Ｍ２Ｍ機器１００及び基地局１５０における動作を指示（例えば、制御、調整、管理など）する。それぞれのプロセッサ１２０，１７０は、プログラムコード及びデータを保存するメモリー１３０，１８０に接続可能である。メモリー１３０，１８０は、プロセッサ１２０，１７０に接続してオペレーティングシステム、アプリケーション、及び一般ファイル（ｇｅｎｅｒａｌ  ｆｉｌｅｓ）を保存する。
【００６７】
本発明のプロセッサ１２０，１７０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ばれることもある。一方、プロセッサ１２０，１７０は、ハードウェア（ｈａｒｄｗａｒｅ）又はファームウェア（ｆｉｒｍｗａｒｅ）、ソフトウェア、又はこれらの結合により具現可能である。ハードウェアを用いて本発明の実施例を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）又はＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１２０，１７０に備えられるとよい。
【００６８】
一方、ファームウェアやソフトウェアを用いて本発明の実施例を具現する場合には、本発明の機能又は動作を実行するモジュール、手順又は関数などを含むようにファームウェアやソフトウェアが構成されるとよく、本発明を実行可能に構成されたファームウェア又はソフトウェアは、プロセッサ１２０，１７０内に組み込まれてもよく、メモリー１３０，１８０に保存されてプロセッサ１２０，１７０により駆動されてもよい。
【００６９】
２．ハイブリッド自動再送要求（ＨＡＲＱ：Ｈｙｂｒｉｄ  Ａｕｔｏｍａｔｉｃ  Ｒｅｔｒａｎｓｍｉｔ  ｒｅＱｕｅｓｔ）
ＨＡＲＱは、ダウンリンク（ＤＬ：ＤｏｗｎＬｉｎｋ）でもアップリンク（ＵＬ：ＵｐＬｉｎｋ）でもユニキャストデータトラフィック及びユニキャスト媒体接続制御（ＭＡＣ：Ｍｅｄｉｕｍ  Ａｃｃｅｓｓ  Ｃｏｎｔｒｏｌ）の制御メッセージを送受信するために用いられる。ＨＡＲＱは、停止確認（ｓｔｏｐ−ａｎｄ−ｗａｉｔ）プロトコルに基づく。ＡＢＳ及びＡＭＳは多数のＨＡＲＱチャネルを維持できる。ＤＬ  ＨＡＲＱチャネルはダウンリンクＨＡＲＱチャネル識別子（ＡＣＩＤ）により識別され、ＵＬ  ＨＡＲＱチャネルはアップリンクＨＡＲＱチャネル識別子（ＡＣＩＤ）により識別される。
【００７０】
割当Ａ−ＭＡＰ情報要素（ａｓｓｉｇｎｍｅｎｔ  Ａ−ＭＡＰ  ｉｎｆｏｒｍａｔｉｏｎ  ｅｌｅｍｅｎｔ）、ＨＡＲＱサブパケット、及び相応するフィードバックは、あらかじめ定義されたタイミングによって伝送される。アップリンクにおいて、ＨＡＲＱサブパケットの再伝送は、あらかじめ定義されたタイミングに行われる。各伝送時間は、ＡＡＩサブフレームインデックス（ＡＡＩ  ｓｕｂｆｒａｍｅ  Ｉｎｄｅｘ）及びフレームインデックスにより指示される。
【００７１】
Ａ−ＭＡＰ関連性及びＨＡＲＱタイミングを決定するために、ＤＬ  ＨＡＲＱフィードバックオフセットｚ、ＵＬ  ＨＡＲＱ送信オフセットｖ、及びＵＬ  ＨＡＲＱフィードバックオフセットｗが設定される。ＤＬ  ＨＡＲＱ伝送において、端末（ＡＭＳ、Ｍ２Ｍ機器）のＤＬ再伝送処理時間ＴＤＬ＿Ｒｘ＿Ｐｒｏｃｅｓｓｉｎｇは、ＤＬ  ＨＡＲＱフィードバックオフセットｚに考慮される。ＵＬ  ＨＡＲＱ伝送において、端末のＵＬ伝送処理時間ＴＵＬ＿Ｔｘ＿Ｐｒｏｃｅｓｓｉｎｇ及び基地局（ＡＢＳ）のＵＬ再伝送処理時間ＴＵＬ＿Ｒｘ＿Ｐｒｏｃｅｓｓｉｎｇはそれぞれ、ＵＬ  ＨＡＲＱ伝送オフセットｖ及びＵＬ  ＨＡＲＱフィードバックオフセットｗのために考慮される。
【００７２】
端末（ＡＭＳ）のＴＤＬ＿Ｒｘ＿Ｐｒｏｃｅｓｓｉｎｇ及びＴＵＬ＿Ｔｘ＿Ｐｒｏｃｅｓｓｉｎｇは、３  ＡＡＩサブフレームである。Ｓ−ＳＦＨ  ＳＰ１  ＩＥを用いて放送される基地局におけるＴＵＬ＿Ｒｘ＿Ｐｒｏｃｅｓｓｉｎｇは３又は４のＡＡＩサブフレームである。
【００７３】
（１）ＦＤＤ（Ｆｒｅｑｕｅｎｃｙ  Ｄｉｖｉｓｉｏｎ  Ｄｕｐｌｅｘ）でのＨＡＲＱ
図２は、ＦＤＤ  ＤＬ  ＨＡＲＱ伝送方法の一例を示す図である。
【００７４】
ｉ番目のフレームのｌ番目のＤＬサブフレームにおいてＤＬ割当Ａ−ＭＡＰ  ＩＥに相応するＤＬ  ＨＡＲＱサブパケット伝送は、ｉ番目のフレームのｍ番目のＤＬサブフレームで行われる。ＤＬ  ＨＡＲＱサブパケットに対するＨＡＲＱフィードバックは、ｊ番目のフレームのｎ番目のＵＬサブフレームで伝送される。サブフレームインデックスｍ、ｎ及びフレームインデックスｊは、ｌ及びｉによって決定される。
【００７５】
下記の表１は、ＦＤＤ  ＤＬ  ＨＡＲＱ時点に対するフレーム構成テーブルの一例を示すものである。
【００７６】
［表１］
【００７７】
【表１】
0005820930.tif 000002
表１で、Ｆは、フレーム構成テーブルにより定義されるサブフレームの番号を表す。ｌは、Ａ−ＭＡＰが伝送されるＤＬサブフレームの番号を表し、１番目のダウンリンクサブフレーム０からＦ−１番目のサブフレームまでのいずれか一つを表す。ロングＴＴＩ（Ｌｏｎｇ  ＴＴＩ）伝送では、ｌは０乃至Ｆ−４（すなわち、ｌ∈｛０，１，…，Ｆ−４｝）サブフレーム内でのみ許容される。ｍは、ＨＡＲＱサブパケット伝送が開始されるＤＬサブフレームの番号であり、１番目のサブフレーム０からＦ−１番目のサブフレームまでのいずれか一つを表す。ｎは、ＵＬサブフレームに対する番号であり、１番目のサブフレーム０からＦ−１番目のサブフレームまでにおいて、ＨＡＲＱ  ＡＣＫ（ａｃｋｎｏｗｌｅｄｇｅｍｅｎｔ）メッセージが伝送されるサブフレーム番号である。ｉは、フレーム番号であり、スーパーフレームの先頭のフレーム０から３のうち、Ａ−ＭＡＰが伝送され、ＨＡＲＱサブパケットが開始されるフレーム番号を表す。ｊは、フレーム番号で、スーパーフレームの先頭のフレーム０から３のうち、ＨＡＲＱ  ＡＣＫメッセージが伝送されるフレーム番号を表す。ＮＴＴＩは、ＨＡＲＱサブパケットが及ぶ区間（すなわち、ＦＤＤ  ＤＬにおいて基本ＴＴＩ  １からロングＴＴＩ  ４まで）であり、ＡＡＩサブフレームの番号を表す。Ｍ２Ｍ機器により要求されるデータバーストＲｘ処理時間はＴＤＬ＿Ｒｘ＿Ｐｒｏｃｅｓｓｉｎｇであり、サブフレームで測定される。
【００７８】
図２を参照すると、ＨＡＲＱフィードバックに相応するダウンリンク割当Ａ−ＭＡＰ  ＩＥと基本ＴＴＩを有するＤＬ  ＨＡＲＱサブパケット間の時間関係、及び５、１０及び２０ＭＨｚチャネル帯域に対する再伝送ＦＤＤフレーム構造が確認できる。
【００７９】
図３は、ＦＤＤ  ＵＬ  ＨＡＲＱ伝送方法の一例を示す図である。
【００８０】
ｉ番目のフレームのｌ番目のＤＬサブフレームにおいて割当Ａ−ＭＡＰ  ＩＥに相応するＵＬ  ＨＡＲＱサブパケット伝送は、ｊ番目のフレームのｍ番目のＵＬサブフレームで開始される。ＵＬ  ＨＡＲＱサブパケットに対するＨＡＲＱフィードバックは、ｋ番目のフレームのｌ番目のサブフレームで伝送される。ＤＬ  ＨＡＲＱフィードバックが非確認応答（ＮＡＣＫ：ｎｅｇａｔｉｖｅ  ａｃｋｎｏｗｌｅｄｇｅｍｅｎｔ）を表すと、ＵＬ  ＨＡＲＱサブパケットの再伝送は、ｐ番目のフレームのｍ番目のＵＬ  ＡＡＩサブフレームで開始される。ＡＡＩサブフレームインデックスｍ、及びフレームインデックスｊ，ｋ，ｐは、下記の表２のように計算される。
【００８１】
［表２］
【００８２】
【表２】
0005820930.tif 000003
表２で、Ｆは、フレーム構成テーブルにより定義されるサブフレームの番号を表す。ｌは、Ａ−ＭＡＰが伝送されたりＨＡＲＱ  ＡＣＫメッセージが伝送されるＤＬサブフレームの番号を表し、１番目のダウンリンクサブフレーム０からＦ−１番目のサブフレームまでのいずれか一つを表す。ロングＴＴＩ（Ｌｏｎｇ  ＴＴＩ）伝送では、ｌはＦ−４乃至０（すなわち、ｌ∈｛Ｆ−４，Ｆ−３，…，Ｆ−１，０｝）サブフレーム内でのみ許容される。ｍは、ＵＬサブフレームの番号であり、ＨＡＲＱサブパケット伝送が開始されるサブフレームは、１番目のアップリンクサブフレーム０からＦ−１番目のアップリンクサブフレームまでのいずれか一つを表す。ｉは、フレーム番号であり、スーパーフレームの先頭のフレーム０から３のうち、Ａ−ＭＡＰが伝送されるフレーム番号を表す。ｊは、フレーム番号であり、スーパーフレームの先頭のフレーム０から３のうち、ＨＡＲＱサブパケットが伝送されるフレーム番号を表す。ｐは、フレーム番号であり、スーパーフレームの先頭のフレーム０から３までにおいて、ＨＡＲＱ  ＡＣＫメッセージが伝送されるフレーム番号を表す。ｋは、フレーム番号であり、スーパーフレームの先頭のフレーム０から３のうち、ＨＡＲＱサブパケットの伝送が開始されるフレームを表す。ＮＴＴＩは、ＨＡＲＱサブパケットが及ぶ区間（すなわち、ＦＤＤ  ＤＬにおいて基本ＴＴＩ  １からロングＴＴＩ  ４まで）であり、ＡＡＩサブフレームの番号を表す。ＴＵＬ＿Ｔｘ＿Ｐｒｏｃｅｓｓｉｎｇは、端末に要求されるデータバースト伝送（Ｔｘ）処理時間であり、サブフレームで測定される。ＴＵＬ＿Ｒｘ＿Ｐｒｏｃｅｓｓｉｎｇは、基地局により要求される受信（Ｒｘ）処理時間であり、サブフレームで測定される。
【００８３】
図３を参照すると、ＨＡＲＱフィードバックに相応するＵＬ割当Ａ−ＭＡＰ  ＩＥ及び基本ＴＴＩを有するＵＬ  ＨＡＲＱサブパケット間の時間関係、及び５、１０及び２０ＭＨｚチャネル帯域幅に対する再伝送ＦＤＤフレーム構造が確認できる。例えば、ＴＵＬ＿Ｔｘ＿Ｐｒｏｃｅｓｓｉｎｇ及びＴＵＬ＿Ｒｘ＿Ｐｒｏｃｅｓｓｉｎｇは、３  ＡＡＩサブフレームである。
【００８４】
（２）ＴＤＤ（Ｔｉｍｅ  Ｄｉｖｉｓｉｏｎ  Ｄｕｐｌｅｘ）でのＨＡＲＱ
図４は、ＴＤＤ  ＤＬ  ＨＡＲＱ伝送方法の一例を示す図である。
【００８５】
ｉフレームのｌ番目のサブフレームにおいてＤＬ割当Ａ−ＭＡＰ  ＩＥに相応するＤＬ  ＨＡＲＱサブパケット伝送は、ｉ番目のフレームのｍ番目のＤＬサブフレームで開始される。ＤＬ  ＨＡＲＱに対するＨＡＲＱフィードバックは、ｊ番目のフレームのｎ番目のＵＬサブフレームで伝送される。サブフレームインデックスｍ，ｎ、及びフレームインデックスｊは、表３に開示されたｌ及びｉにより決定される。下記の表３は、ＴＤＤシステムで用いられるフレーム構成テーブルの一例を表すものである。
【００８６】
［表３］
【００８７】
【表３】
0005820930.tif 000004
表３を参照すると、Ｄは、表３のフレーム構成テーブルにより定義されるダウンリンクサブフレームの個数を表し、Ｕは、アップリンクサブフレームの個数を表す。ｌは、Ａ−ＭＡＰが伝送されるＤＬサブフレームの番号を表し、１番目のダウンリンクサブフレーム０からＤ−１サブフレームまでのいずれか一つである。ｍは、ＤＬサブフレーム番号であり、ＨＡＲＱサブパケット伝送が開始されるサブフレームは、１番目のサブフレーム０からＤ−１サブフレームまでのいずれか一つを表す。ｎは、ＵＬサブフレームに対する番号であり、番目のサブフレーム０からＵ−１サブフレームまでにおいてＨＡＲＱ  ＡＣＫ（ａｃｋｎｏｗｌｅｄｇｅｍｅｎｔ）メッセージが伝送されるサブフレーム番号である。ｉは、フレーム番号であり、スーパーフレームの先頭のフレーム０から３のうち、Ａ−ＭＡＰが伝送され、ＨＡＲＱサブパケットが開始されるフレーム番号を表す。ｊは、フレーム番号であり、スーパーフレームの先頭のフレーム０から３のうち、ＨＡＲＱ  ＡＣＫメッセージが伝送されるフレーム番号を表す。ＮＴＴＩは、ＨＡＲＱサブパケットが及ぶ区間（すなわち、ＴＤＤ  ＤＬにおいて基本ＴＴＩ  １からロングＴＴＩ  ４まで）であり、ＡＡＩサブフレームの番号を表す。Ｍ２Ｍ機器により要求されるデータバースト受信処理時間はＴＤＬ＿Ｒｘ＿Ｐｒｏｃｅｓｓｉｎｇであり、サブフレームで測定される。Ｃｅｉｌ（ｘ）は、ｘより大きい又は等しい最小整数値を表す単位関数であり、ｆｌｏｏｒ（ｘ）は、ｘより小さい又は等しい最大整数値を表す単位関数である。ｉ番目のフレームのｌ番目の（０以外の）ＤＬサブフレームで伝送されるＤＬ割当Ａ−ＭＡＰ  ＩＥはまた、ロングＴＴＩ伝送を指示する。このような場合、ＤＬ  ＨＡＲＱサブパケットのロングＴＴＩ伝送は、（ｉ＋１）フレームの０番目のＤＬサブフレームで開始される。ロングＴＴＩ伝送のためのＨＡＲＱフィードバックは、ｊ番目のフレームのｎ番目のＵＬサブフレームで伝送される。サブフレームインデックスｎ及びフレームインデックスｊは、サブフレームインデックスｍ及びフレームインデックスＩをそれぞれｌ及びｉ＋１に入れ替えることによって、表３に開示された数学式によって計算される。
【００８８】
表３を参照すると、ＨＡＲＱフィードバックに相応するＤＬ割当Ａ−ＭＡＰ  ＩＥと基本ＴＴＩを有するＤＬ  ＨＡＲＱサブパケット間の時間関係、及び５、１０及び２０ＭＨｚチャネル帯域幅に対するＴＤＤフレーム構造での再伝送の様子が確認できる。
【００８９】
図５は、ＴＤＤ  ＵＬ  ＨＡＲＱ伝送方法の一例を示す図である。
【００９０】
ｉ番目のフレームのｌ番目のＤＬサブフレームにおいて割当Ａ−ＭＡＰ  ＩＥに相応するＵＬ  ＨＡＲＱサブパケット伝送は、ｊ番目のフレームのｍ番目のＵＬサブフレームで開始される。ＵＬ  ＨＡＲＱサブパケットに対するＨＡＲＱフィードバックは、ｋ番目のフレームのｌ番目のサブフレームで伝送される。ＤＬ  ＨＡＲＱフィードバックが非確認応答（ＮＡＣＫ）を表すと、ＵＬ  ＨＡＲＱサブパケットの再伝送は、ｐ番目のフレームのｍ番目のＵＬ  ＡＡＩサブフレームで開始される。ＡＡＩサブフレームインデックスｍ及びフレームインデックスｊ，ｋ，ｐは、下記の表４のように計算される。
【００９１】
［表４］
【００９２】
【表４】
0005820930.tif 000005
表４で、Ｄは、フレーム構成テーブルにより定義されるダウンリンクサブフレーム番号を表し、Ｕは、アップリンクサブフレーム番号を表す。ｌは、Ａ−ＭＡＰが伝送されたりＨＡＲＱ  ＡＣＫメッセージが伝送されるＤＬサブフレームの番号を表し、１番目のダウンリンクサブフレーム０からＤ−１番目のサブフレームまでのいずれか一つを表す。ｍは、ＤＬサブフレームの番号であり、ＨＡＲＱサブパケット伝送が開始されるサブフレームは、１番目のダウンリンクサブフレーム０からＵ−１番目のアップリンクサブフレームまでのいずれか一つを表す。ｉはフレーム番号であり、スーパーフレームの先頭のフレーム０から３のうち、Ａ−ＭＡＰが伝送されるフレーム番号を表す。ｊはフレーム番号であり、スーパーフレームの先頭のフレーム０から３のうち、ＨＡＲＱサブパケットが伝送されるフレーム番号を表す。ｐはフレーム番号であり、スーパーフレームの先頭のフレーム０から３までにおいてＨＡＲＱ  ＡＣＫメッセージが伝送されるフレーム番号を表す。ｋはフレーム番号であり、スーパーフレームの先頭のフレーム０から３のうち、ＨＡＲＱサブパケットの伝送が開始されるフレームを表す。ＮＴＴＩは、ＨＡＲＱサブパケットが及ぶ区間（すなわち、ＴＤＤ  ＤＬにおいて基本ＴＴＩに対する１及びロングＴＴＩに対するＤ）であり、ＡＡＩサブフレームの番号を表す。ＴＵＬ＿Ｔｘ＿Ｐｒｏｃｅｓｓｉｎｇは、Ｍ２Ｍ機器に要求されるデータバースト伝送（Ｔｘ）処理時間であり、サブフレームで測定される。ＴＵＬ＿Ｒｘ＿Ｐｒｏｃｅｓｓｉｎｇは、基地局により要求される受信（Ｒｘ）処理時間であり、サブフレームで測定される。
【００９３】
図５を参照すると、ＨＡＲＱフィードバックに相応するＵＬ割当Ａ−ＭＡＰ  ＩＥ及び基本ＴＴＩを有するＵＬ  ＨＡＲＱサブパケット間の時間関係、及び５、１０及び２０ＭＨｚチャネル帯域幅に対する再伝送ＴＤＤフレーム構造が確認できる。例えば、ＴＵＬ＿Ｔｘ＿Ｐｒｏｃｅｓｓｉｎｇ及びＴＵＬ＿Ｒｘ＿Ｐｒｏｃｅｓｓｉｎｇは、３  ＡＡＩサブフレームである。
【００９４】
３．ステーション識別子（ＳＴＩＤ）共有方法
図６は、ＴＤＭベースのステーション識別子（ＳＴＩＤ：Ｓｔａｔｉｏｎ  Ｉｄｅｎｔｉｆｉｅｒ）を共有する方法の一例を示す図である。
【００９５】
ステーション識別子（ＳＴＩＤ）は、基地局領域において特定端末（Ｍ２Ｍ機器を含む）を識別するために用いられる。ただし、Ｍ２Ｍシステムでは、既存システム（例えば、Ｈｕｍａｎ  Ｔｙｐｅ  Ｃｏｍｍｕｎｉｃａｔｉｏｎ）に比べてより多くのＭ２Ｍ機器が存在するため、既存システムとは違い、同一基地局内で多数のＭ２Ｍ機器が同一のステーション識別子を共有して使用すればよい。すなわち、基地局は多数のＭ２Ｍ機器に同一のＳＴＩＤを割り当てるとよい。
【００９６】
このように、多数のＭ２Ｍ機器が同一のＳＴＩＤを共有するとき、各端末を識別する方法として、同一のＳＴＩＤを、時間単位（例えば、フレーム単位）に一つのＭ２Ｍ機器のみが使用するように定義する方法がある。例えば、基地局が一つのＳＴＩＤを４個のＭ２Ｍ機器が共有するように割り当てるとき、基地局は、各Ｍ２Ｍ機器がＳＴＩＤを使用できる時点（例えば、フレーム位置又はフレーム番号）を知らせ、且つ反復的にフレームを使用できるように周期を知らせることがある。以下では、図６を参照して、２つ以上のＭ２Ｍ機器が一つのＳＴＩＤを共有する方法について説明する。
【００９７】
図６を参照すると、Ｍ２Ｍ機器は、ＡＢＳに接続するためにネットワーク進入手順を行えばよい（Ｓ６０１）。
【００９８】
その後、Ｍ２Ｍ機器は、ＡＢＳに登録するために登録要請（ＡＡＩ−ＲＥＧ−ＲＥＱ）メッセージをＡＢＳに伝送する。この時、登録要請メッセージにはＳＴＩＤの共有を支援するか否かを表すＳＴＩＤ共有支援指示子を含むとよい（Ｓ６０３）。
【００９９】
基地局は、登録要請メッセージに対する応答として登録応答（ＡＡＩ−ＲＥＧ−ＲＳＰ）メッセージをＭ２Ｍ機器に伝送する。この時、登録応答メッセージには、ＳＴＩＤの共有を支援するか否かを表す共有支援指示子、Ｍ２Ｍ機器がＳＴＩＤを使用する周期を表すＳＴＩＤ有効周期フィールド（ＳＴＩＤ＿Ｖａｌｉｄ＿Ｐｅｒｉｏｄｉｃｉｔｙ）、及びＭ２Ｍ機器がＳＴＩＤを使用する位置（すなわち、フレーム）を表すＳＴＩＤ有効オフセット（ＳＴＩＤ＿Ｖａｌｉｄ＿Ｏｆｆｓｅｔ）フィールドが含まれるとよい（Ｓ６０５）。
【０１００】
登録応答メッセージに含まれた共有支援指示子がＳＴＩＤの共有を支援することを指示すると、Ｍ２Ｍ機器は、ＳＴＩＤ有効周期フィールド及びＳＴＩＤ有効オフセットフィールドを用いて、下記の数学式１のような方法により、自身に割り当てられたＳＴＩＤを使用できるフレームを計算すればよい。
【０１０１】
【数１】
0005820930.tif 000006
すなわち、Ｍ２Ｍ機器は、フレーム番号（Ｆｒａｍｅｎｕｍ）をＳＴＩＤ有効周期でモジューロ（ｍｏｄｕｌｏ）演算したとき、ＳＴＩＤ有効オフセットが指示するフレームでＳＴＩＤを使用することができる。
【０１０２】
本発明の他の実施例として、基地局は、同一のＳＴＩＤを使用するＭ２Ｍ機器同士が異なったＡＣＩＤを使用するように割り当ててもよい。すなわち、同一のＳＴＩＤを使用するＭ２Ｍ機器同士がそれぞれ異なるＡＣＩＤを使用する。例えば、Ｍ２Ｍ機器１，２，３，４がＳＴＩＤ＝１をフレームベースに共有して使用するとき、基地局は、Ｍ２Ｍ機器１にＡＣＩＤ  １，２，３，４を、Ｍ２Ｍ機器２にＡＣＩＤ  ５，６，７，８を、Ｍ２Ｍ機器３にＡＣＩＤ  ９，１０，１１，１２を、Ｍ２Ｍ機器４にＡＣＩＤ  １３，１４，１５，１６を割り当てる。
【０１０３】
基地局がＭ２Ｍ機器にＳＴＩＤを割り当てる時、Ｍ２Ｍ機器が使用できるＡＣＩＤを割り当てるとよい。例えば、図６のＳ６０３段階で、基地局はＳＴＩＤと一緒にＡＣＩＤを割り当ててもよい。下記の表５は、Ｓ６０３段階で使用できるＡＡＩ−ＲＥＧ−ＲＳＰメッセージの一例を表すものである。
【０１０４】
［表５］
【０１０５】
【表５−１】
0005820930.tif 000007
【０１０６】
【表５−２】
0005820930.tif 000008
表５のＡＡＩ−ＲＥＧ−ＲＥＱメッセージを受信した基地局は、それに対する応答としてＡＡＩ−ＲＥＧ−ＲＳＰメッセージに、Ｍ２Ｍ機器に割り当てるＡＣＩＤの開始値、及び割り当てるＡＣＩＤの個数を含めて伝送すればよい。例えば、Ｍ２Ｍ機器２のＡＣＩＤの開始が５であり、Ｎｕｍ＿ｏｆ＿ＡＣＩＤフィールド値が４の場合に、ＡＣＩＤ  ５，６，７，８がＭ２Ｍ機器２に割り当てられる。
【０１０７】
下記の表６は、Ｓ６０５段階で使用できるＡＡＩ−ＲＥＧ−ＲＳＰメッセージフォーマットの一例を表すものである。
【０１０８】
［表６］
【０１０９】
【表６−１】
0005820930.tif 000009
【０１１０】
【表６−２】
0005820930.tif 000010
表６で、Ｍ２Ｍ機器に割り当てられたＡＣＩＤは、ＤＬ／ＵＬのいずれにも適用可能である。もし、ＤＬとＵＬに異なるＡＣＩＤを割り当てる場合、ＤＬとＵＬに対してＡＣＩＤ情報（例えば、Ｓｔａｒｔ  ｏｆ  ＡＣＩＤ、Ｎｕｍ＿ｏｆ＿ＡＣＩＤ）をそれぞれ含めばよい。
【０１１１】
したがって、Ｍ２Ｍ機器がＤＬ／ＵＬ  Ｂａｓｉｃ  Ａｓｓｉｇｎｍｅｎｔ  Ａ−ＭＡＰ  ＩＥを受信したとき、当該マップ情報要素のＡＣＩＤを確認し、自身に該当するリソース割当情報であるかを確認すればよい。
【０１１２】
４．ＨＡＲＱタイミング設定方法
以下では、本発明の実施例としてＨＡＲＱタイミング設定方法について詳細に説明する。
【０１１３】
３．節で説明した通り、ＳＴＩＤを特定フレームでのみ使用するように定義すると、Ｍ２Ｍ機器は、既存ＩＥＥＥ  ８０２．１６ｍシステムで定義するＨＡＲＱタイミング設定方法が適用し難い。
【０１１４】
例えば、図４に示したＴＤＤ  ＤＬ  ＨＡＲＱ過程に、表３に定義された公式を適用する。Ｍ２Ｍ機器がｉ番目のフレームのＤＬサブフレーム１でＤＬ割当（ａｓｓｉｇｎｍｅｎｔ）及びＤＬデータバーストを受信すると、Ｍ２Ｍ機器は、次のフレーム（ｉ＋１番目）のＵＬサブフレーム０でＨＡＲＱフィードバックを伝送する。しかし、ＳＴＩＤ有効周期が４であれば、Ｍ２Ｍ機器は次のフレームのＵＬサブフレーム０でＨＡＲＱフィードバックを伝送してはならない。なぜなら、次のフレームは、同一のＳＴＩＤが割り当てられている他のＭ２Ｍ機器が使用するからである。
【０１１５】
また、アップリンクについては、図５に示したＴＤＤ  ＵＬ  ＨＡＲＱ過程に、表４で定義されている公式を適用してみる。Ｍ２Ｍ機器がｉ番目のフレームのＤＬサブフレーム１でＵＬ割当を受信すると、Ｍ２Ｍ機器は、同フレーム（ｉ番目のフレーム）のＵＬサブフレーム０で基地局にＵＬバーストを伝送する。
【０１１６】
この時、ＵＬバーストに誤りが発生すると、既存ＩＥＥＥ  ８０２．１６ｍシステムでは、次のｉ＋１フレームのＤＬサブフレーム１で基地局がＭ２Ｍ機器にＮＡＣＫメッセージを伝送し、Ｍ２Ｍ機器はｉ＋１フレームのＵＬサブフレーム０でＵＬバーストを再伝送する。しかし、Ｍ２Ｍ機器がＳＴＩＤをフレームベースに共有する状況の下に、ＳＴＩＤ有効周期が４であれば、Ｍ２Ｍ機器は、ｉ＋１フレームのＵＬサブフレーム０でＵＬバーストを再伝送せず、自身に該当する次の周期のフレーム（すなわち、ｉ＋４（ＳＴＩＤ＿有効周期））のＵＬサブフレーム０でＵＬバーストを伝送する。この時、基地局はＨＡＲＱＮＡＣＫを次の周期のフレームのＵＬサブフレーム１で伝送する。
【０１１７】
もし、ＨＡＲＱタイミングを上述のように変更しないとすれば、Ｍ２Ｍ機器は、ＵＬ伝送時にＮＡＣＫが発生すると、次のフレームの同一のリソース領域で再伝送を試みるはずである。また、基地局は、当該時点に同一のＳＴＩＤを共有するＭ２Ｍ機器に対してＵＬリソース領域を割り当てるためにＵＬ基本割当Ａ−ＭＡＰ  ＩＥ（ＵＬ  Ｂａｓｉｃ  Ａｓｓｉｇｎｍｅｎｔ  Ａ−ＭＡＰ  ＩＥ）を伝送することがある。このとき、再伝送を行うＭ２Ｍ機器は、同一のＳＴＩＤに該当するＵＬ基本割当Ａ−ＭＡＰ  ＩＥを受信したので、自身の再伝送に対するリソース割当位置が変更されたと判断する。そのため、Ｍ２Ｍ機器は、割り当てられたＵＬリソースを用いて再伝送を試みることがある。こうなると、同一のＳＴＩＤを共有するＭ２Ｍ機器同士が同一のリソース領域を同時に使用するという問題につながることもある。
【０１１８】
したがって、複数のＭ２Ｍ機器が一つのＳＴＩＤをフレームベースに共有する場合、Ｍ２Ｍ機器は、既存に定義されているＨＡＲＱタイミングを適用できない問題があるので、以下では、ＳＴＩＤをフレームベースに共有する複数のＭ２Ｍ機器のためにＨＡＲＱタイミング及びＭＡＰ関係を新しく定義する必要がある。
【０１１９】
図７は、本発明の実施例として、ＳＴＩＤを共有する複数のＭ２Ｍ機器が使用するＨＡＲＱタイミング及びＡ−ＭＡＰ関連性を示す図である。
【０１２０】
上述した通り、ＳＴＩＤが複数の端末にフレーム単位に共有され、ＨＡＲＱタイミング及びＡ−ＭＡＰ関連性（ｒｅｌｅｖａｎｃｅ）が一周期内において自身に割り当てられたフレームを超えると、Ｍ２Ｍ機器は、自身に割り当てられたＳＴＩＤ有効周期フィールドとＳＴＩＤ有効オフセットフィールドを用いて次の周期における使用可能なフレームの開始からＨＡＲＱタイミングやＡ−ＭＡＰ関連性を適用するとよい。
【０１２１】
例えば、Ｍ２Ｍ機器がＳＴＩＤ有効周期内で使用できるフレームが一つのフレームであり、一つのフレーム内でＨＡＲＱタイミングやＡ−ＭＡＰ関連性が適用されない場合は、ＳＴＩＤ有効周期以降の、自身に割り当てられたＳＴＩＤ有効オフセットが指示するフレームでＨＡＲＱタイミングとＡ−ＭＡＰ関連性を適用すればよい。
【０１２２】
もし、ＳＴＩＤ有効周期が６であり、Ｍ２Ｍ機器が共有できる領域が２フレームであるとすれば、Ｍ２Ｍ機器は２つのフレームを使用し、ＨＡＲＱタイミングやＡ−ＭＡＰ関連性が、現在、端末に割り当てられた２つのフレームを外れる場合、次の周期の１番目のフレームにＨＡＲＱタイミングやＡ−ＭＡＰ関連性を適用すればよい。
【０１２３】
図７では、ＳＴＩＤ有効オフセットは１であり、ＳＴＩＤ有効区間（ＳＴＩＤ  Ｖａｌｉｄ  Ｄｕｒａｔｉｏｎ）は２であるとする。したがって、Ｍ２Ｍ機器は、フレーム１、２、７、８、１３及び１４を使用できる。このとき、ＨＡＲＱタイミングやＡ−ＭＡＰ関連性がフレーム２を越えてフレーム３に移る場合、Ｍ２Ｍ機器は、フレーム３の代わりにフレーム７を利用できる。また、ＨＡＲＱタイミングやＡ−ＭＡＰ関連性がフレーム８を越えてフレーム９移る場合、フレーム９の代わりにフレーム１３をＨＡＲＱタイミング及びＡ−ＭＡＰ関連性に設定できる。
【０１２４】
下記の表７は、ＳＴＩＤ有効区間が１の場合（すなわち、周期当たりにＳＴＩＤ有効オフセットが指示する１つのフレームのみを使用）においてＴＤＤ  ＤＬ  ＨＡＲＱタイミングを表すものである。
【０１２５】
［表７］
【０１２６】
【表７−１】
0005820930.tif 000011
【０１２７】
【表７−２】
0005820930.tif 000012
表７を参照すると、Ｄは、表７のフレーム構成テーブルにより定義されるダウンリンクサブフレーム番号を表し、Ｕは、アップリンクサブフレーム番号を表す。ｌは、Ａ−ＭＡＰが伝送されるＤＬサブフレームの番号を表し、１番目のダウンリンクサブフレーム０からＤ−１番目のサブフレームまでのいずれか一つである。ｍは、ＤＬサブフレーム番号であり、ＨＡＲＱサブパケット伝送が開始されるサブフレームは、１番目のサブフレーム０からＤ−１番目のサブフレームまでのいずれか一つを表す。ｎは、ＵＬサブフレームに対する番号であり、１番目のサブフレーム０からＵ−１番目のサブフレームまでにおいてＨＡＲＱ  ＡＣＫ（ａｃｋｎｏｗｌｅｄｇｅｍｅｎｔ）メッセージが伝送されるサブフレーム番号である。ｉは、フレーム番号であり、スーパーフレームの先頭のフレーム０から３のうち、Ａ−ＭＡＰが伝送され、ＨＡＲＱサブパケットが開始されるフレーム番号を表す。ｊは、フレーム番号であり、スーパーフレームの１番目のフレーム０からフレーム（４＊ＳＴＩＤ有効周期−１）のうち、ＨＡＲＱ  ＡＣＫメッセージが伝送されるフレーム番号を表す。ＮＴＴＩは、ＨＡＲＱサブパケットが及ぶ区間（すなわち、ＴＤＤ  ＤＬにおいて基本ＴＴＩ  １からロングＴＴＩ  ４まで）であり、ＡＡＩサブフレームの番号を表す。端末により要求されるデータバースト受信処理時間はＴＤＬ＿Ｒｘ＿Ｐｒｏｃｅｓｓｉｎｇであり、サブフレームで測定される。Ｃｅｉｌ（ｘ）は、ｘより大きい又は等しい最小整数値を表す単位関数であり、ｆｌｏｏｒ（ｘ）は、ｘより小さい又は等しい最大整数値を表す単位関数である。
【０１２８】
ｉ番目のフレームのｌ番目の（０以外の）ＤＬサブフレームで伝送されるＤＬ割当Ａ−ＭＡＰ  ＩＥはまた、ロングＴＴＩ伝送を指示する。このような場合、ＤＬ  ＨＡＲＱサブパケットのロングＴＴＩ伝送は、（ｉ＋１）フレームの０番目のＤＬサブフレームで開始される。ロングＴＴＩ伝送のためのＨＡＲＱフィードバックは、ｊ番目のフレームのｎ番目のＵＬサブフレームで伝送される。サブフレームインデックスｎ及びフレームインデックスｊは、サブフレームインデックスｍ及びフレームインデックスＩをｌ及びｉ＋１にそれぞれ入れ替えることによって、表５に示した数学式によって計算される。
【０１２９】
表７を参照すると、ＨＡＲＱフィードバックに相応するＤＬ割当Ａ−ＭＡＰ  ＩＥと基本ＴＴＩを有するＤＬ  ＨＡＲＱサブパケット間の時間関係、及び５、１０及び２０ＭＨｚチャネル帯域幅に対するＴＤＤフレーム構造での再伝送の様子が確認できる。
【０１３０】
下記の表８は、ＳＴＩＤ有効区間が１の場合（すなわち、周期当たりにＳＴＩＤ有効オフセットが指示する一つのフレームのみを使用）においてＴＤＤ  ＵＬ  ＨＡＲＱタイミングを表すものである。
【０１３１】
［表８］
【０１３２】
【表８−１】
0005820930.tif 000013
【０１３３】
【表８−２】
0005820930.tif 000014
ＴＤＤ  ＵＬ  ＨＡＲＱタイミングにおいてアップリンクＨＡＲＱサブパケット伝送フレームインデックスｊを求めるためにｖ値を計算する時、もし（Ｄ−ｌ−１＋ｍ）＜ＴＵＬ−Ｔｘ＿Ｐｒｏｃｅｓｓｉｎｇであれば、Ｍ２Ｍ機器は１に代えてＳＴＩＤ有効周期値を使用する。また、ｊ値はＳＴＩＤ有効周期を用いて
【０１３４】
【数２】
0005820930.tif 000015
に修正可能である。この場合、ｊ値の範囲は、０乃至（４＊ＳＴＩＤ有効周期−１）の間で決定される。
【０１３５】
ＴＤＤ  ＵＬ  ＨＡＲＱタイミングにおいてダウンリンクＨＡＲＱフィードバック伝送フレームインデックスｋを求めるためにｗ値を計算する時、もし（Ｕ−ｍ−ＮＴＴＩ＋ｌ）＜ＴＵＬ−Ｒｘ＿Ｐｒｏｃｅｓｓｉｎｇであれば、Ｍ２Ｍ機器は１に代えてＳＴＩＤ有効周期を使用すればよい。また、ｋ値はＳＴＩＤ有効周期を用いて
【０１３６】
【数３】
0005820930.tif 000016
に修正可能である。こうなると、ｋ値の範囲が０乃至（４＊ＳＴＩＤ＿Ｖａｌｉｄｉｃｉｔｙ＿Ｐｅｒｉｏｄｉｃｉｔｙ−１）の間で決定される。
【０１３７】
ＴＤＤ  ＵＬ  ＨＡＲＱタイミングにおいてＨＡＲＱサブパケット再伝送ダウンリンクのフレームインデックスｐを求めるためにｖ値を計算する時、もし（Ｄ−ｌ−１＋ｍ）＜ＴＵＬ−Ｔｘ＿Ｐｒｏｃｅｓｓｉｎｇであれば、Ｍ２Ｍ機器は１に代えてＳＴＩＤ有効周期値を使用すればよい。また、ｐ値は、ＳＴＩＤ有効周期値を用いて
【０１３８】
【数４】
0005820930.tif 000017
に修正可能である。したがって、ｐ値の範囲は、０乃至（４＊ＳＴＩＤ有効周期−１）の間で決定される。
【０１３９】
このように再設定されるパラメータ値に基づいて表８に示した変数について説明する。表８で、Ｄは、フレーム構成テーブルにより定義されるダウンリンクサブフレーム番号を表し、Ｕは、アップリンクサブフレーム番号を表す。ｌは、Ａ−ＭＡＰが伝送されたりＨＡＲＱ  ＡＣＫメッセージが伝送されるＤＬサブフレームの番号を表し、１番目のダウンリンクサブフレーム０からＤ−１番目のサブフレームまでのいずれか一つを表す。ｍは、ＤＬサブフレームの番号であり、ＨＡＲＱサブパケット伝送が開始されるサブフレームは、１番目のダウンリンクサブフレーム０からＵ−１番目のアップリンクサブフレームまでのいずれか一つを表す。ｉは、フレーム番号であり、スーパーフレームの先頭のフレーム０から３のうち、Ａ−ＭＡＰが伝送されるフレーム番号を表す。ｊは、フレーム番号であり、スーパーフレームの１番目のフレーム０から（４＊ＳＴＩＤ有効周期−１）のうち、ＨＡＲＱサブパケットが伝送されるフレーム番号を表す。ｐは、フレーム番号であり、スーパーフレームの１番目のフレーム０から（４＊ＳＴＩＤ有効周期−１）までにおいてＨＡＲＱ  ＡＣＫメッセージが伝送されるフレーム番号を表す。ｋは、フレーム番号であり、スーパーフレームの１番目のフレーム０から（４＊ＳＴＩＤ有効周期−１）のうち、ＨＡＲＱサブパケットの伝送が開始されるフレームを表す。ＮＴＴＩは、ＨＡＲＱサブパケットが及ぶ区間（すなわち、ＴＤＤ  ＤＬにおいて基本ＴＴＩに対する１及びロングＴＴＩに対するＤ）であり、ＡＡＩサブフレームの番号を表す。ＴＵＬ＿Ｔｘ＿Ｐｒｏｃｅｓｓｉｎｇは、端末に要求されるデータバースト伝送（Ｔｘ）処理時間であり、サブフレームで測定される。ＴＵＬ＿Ｒｘ＿Ｐｒｏｃｅｓｓｉｎｇは、基地局により要求される受信（Ｒｘ）処理時間であり、サブフレームで測定される。
【０１４０】
下記の表９は、ＳＴＩＤ有効区間が１の場合（すなわち、周期当たりにＳＴＩＤ有効オフセットが指示する一つのフレームのみを使用）に対するＦＤＤ  ＵＬ  ＨＡＲＱタイミングを表すものである。
【０１４１】
［表９］
【０１４２】
【表９】
0005820930.tif 000018
ＦＤＤ  ＤＬ  ＨＡＲＱタイミングにおいてＵＬ  ＨＡＲＱフィードバックのフレームインデックスを求めるために、
【０１４３】
【数５】
0005820930.tif 000019
に設定されると、ｚ値を０に設定し、そうでないと、ＳＴＩＤ有効周期を使用する。また、フレームインデックスｊ値は、ＳＴＩＤ有効周期を用いて
【０１４４】
【数６】
0005820930.tif 000020
と決定可能である。この場合、ｊの値の範囲は、フレーム０乃至（４＊ＳＴＩＤ有効周期−１）の間で決定される。
【０１４５】
表９で、Ｆは、フレーム構成テーブルにより定義されるサブフレームの番号を表す。ｌは、Ａ−ＭＡＰが伝送されるＤＬサブフレームの番号を表し、１番目のダウンリンクサブフレーム０からＦ−１番目のサブフレームまでのいずれか一つを表す。ｍは、ＨＡＲＱサブパケット伝送が開始されるＤＬサブフレームの番号であり、１番目のサブフレーム０からＦ−１番目のサブフレームまでのいずれか一つを表す。ｎは、ＵＬサブフレームに対する番号であり、１番目のサブフレーム０からＦ−１番目のサブフレームまでにおいてＨＡＲＱ  ＡＣＫ（ａｃｋｎｏｗｌｅｄｇｅｍｅｎｔ）メッセージが伝送されるサブフレーム番号である。ｉは、フレーム番号であり、スーパーフレームの先頭のフレーム０から３のうち、Ａ−ＭＡＰが伝送され、ＨＡＲＱサブパケットが開始されるフレーム番号を表す。ｊは、フレーム番号であり、スーパーフレームの１番目のフレーム０から（４＊ＳＴＩＤ有効周期−１）のうち、ＨＡＲＱ  ＡＣＫメッセージが伝送されるフレーム番号を表す。ＮＴＴＩは、ＨＡＲＱサブパケットが及ぶ区間（すなわち、ＦＤＤ  ＤＬにおいて基本ＴＴＩ  １からロングＴＴＩ  ４まで）であり、ＡＡＩサブフレームの番号を表す。端末により要求されるデータバーストＲｘ処理時間は、ＴＤＬ＿Ｒｘ＿Ｐｒｏｃｅｓｓｉｎｇであり、サブフレームで測定される。
【０１４６】
下記の表１０は、ＳＴＩＤ有効区間が１の場合（すなわち、周期当たりにＳＴＩＤ有効オフセットが指示する一つのフレームのみを使用）に対するＦＤＤ  ＵＬ  ＨＡＲＱタイミングを表すものである。
【０１４７】
［表１０］
【０１４８】
【表１０−１】
0005820930.tif 000021
【０１４９】
【表１０−２】
0005820930.tif 000022
ＦＤＤ  ＵＬ  ＨＡＲＱタイミングにおいてアップリンクＨＡＲＱサブパケット伝送フレームインデックスｊを求めるためにｖ値を計算する時、もし
【０１５０】
【数７】
0005820930.tif 000023
であると、Ｍ２Ｍ機器は、ｖ値を０に設定し、そうでないとＳＴＩＤ有効周期値を使用する。また、ｊ値はｖとＳＴＩＤ有効周期を用いて
【０１５１】
【数８】
0005820930.tif 000024
に修正可能である。この場合、ｊ値の範囲は、０乃至（４＊ＳＴＩＤ有効周期−１）の間で決定される。
【０１５２】
ＦＤＤ  ＵＬ  ＨＡＲＱタイミングにおいてＤＬ  ＨＡＲＱフィードバックフレームインデックスｋを求めるためにｗ値を計算する時、もし
【０１５３】
【数９】
0005820930.tif 000025
であると、Ｍ２Ｍ機器はｗ値を０に設定し、そうでないとＳＴＩＤ有効周期値を使用する。また、ｋ値はｗとＳＴＩＤ有効周期を用いて
【０１５４】
【数１０】
0005820930.tif 000026
に修正可能である。この場合、ｋ値の範囲は、０乃至（４＊ＳＴＩＤ有効周期−１）の間で決定される。
【０１５５】
ＦＤＤ  ＵＬ  ＨＡＲＱタイミングにおいてＤＬ  ＨＡＲＱサブパケットが再伝送されるフレームインデックスｐを求めるためにｖ値を計算する時、もし
【０１５６】
【数１１】
0005820930.tif 000027
であると、Ｍ２Ｍ機器は、ｖ値を０に設定し、そうでないとｖ値としてＳＴＩＤ有効周期を使用する。また、ｐ値はｖとＳＴＩＤ有効周期を用いて
【０１５７】
【数１２】
0005820930.tif 000028
に修正可能である。この場合、ｐ値の範囲は、０乃至（４＊ＳＴＩＤ有効周期−１）の間で決定される。
【０１５８】
このように再設定されるパラメータ値に基づいて表１０で示した変数について説明する。表１０で、Ｆは、フレーム構成テーブルにより定義されるサブフレームの番号を表す。ｌは、Ａ−ＭＡＰが伝送されたりＨＡＲＱ  ＡＣＫメッセージが伝送されるＤＬサブフレームの番号を表し、１番目のダウンリンクサブフレーム０からＦ−１番目のサブフレームまでのいずれか一つを表す。ロングＴＴＩ（Ｌｏｎｇ  ＴＴＩ）伝送の場合に、ｌは、Ｆ−４乃至０（すなわち、ｌ∈｛Ｆ−４，Ｆ−３，…，Ｆ−１，０｝）サブフレーム内でのみ許容される。ｍは、ＵＬサブフレームの番号であり、ＨＡＲＱサブパケット伝送が開始されるサブフレームは、１番目のアップリンクサブフレーム０からＦ−１番目のアップリンクサブフレームまでのいずれか一つを表す。
【０１５９】
ｉは、フレーム番号であり、スーパーフレームの先頭のフレーム０から３のうち、Ａ−ＭＡＰが伝送されるフレーム番号を表す。ｊは、フレーム番号であり、スーパーフレームの１番目のフレーム０からフレーム（４＊ＳＴＩＤ有効周期−１）のうち、ＨＡＲＱサブパケットが伝送されるフレーム番号を表す。ｐは、フレーム番号であり、スーパーフレームの１番目のフレーム０から（４＊ＳＴＩＤ有効周期−１）までにおいてＨＡＲＱ  ＡＣＫメッセージが伝送されるフレーム番号を表す。ｋは、フレーム番号であり、スーパーフレームの１番目のフレーム０から（４＊ＳＴＩＤ有効周期−１）のうち、ＨＡＲＱサブパケットの伝送が開始されるフレームを表す。ＮＴＴＩは、ＨＡＲＱサブパケットが及ぶ区間（すなわち、ＦＤＤ  ＤＬにおいて基本ＴＴＩ  １からロングＴＴＩ  ４まで）であり、ＡＡＩサブフレームの番号を表す。ＴＵＬ＿Ｔｘ＿Ｐｒｏｃｅｓｓｉｎｇは、端末に要求されるデータバースト伝送（Ｔｘ）処理時間であり、サブフレームで測定される。ＴＵＬ＿Ｒｘ＿Ｐｒｏｃｅｓｓｉｎｇは、基地局により要求される受信（Ｒｘ）処理時間であり、サブフレームで測定される。
【０１６０】
５．ＨＡＲＱチャネル識別子を用いたＨＡＲＱ動作支援方法
複数のＭ２Ｍ機器が図６のようにＳＴＩＤをフレームベースに共有する状況において、ＨＡＲＱタイミングを数学式２のように変更しないと、複数のＭ２Ｍ機器は、次のフレームの同一のリソースを用いて再伝送を試みるはずである。
【０１６１】
もし、基地局が、ＮＡＣＫの発生した時点で同一のＳＴＩＤを共有するＭ２Ｍ機器に対して新しいアップリンクリソースを割り当てるべく、ＵＬ基本割当Ａ−ＭＡＰ  ＩＥを自身の領域で放送する場合、再伝送を試みる複数のＭ２Ｍ機器も、同一のＳＴＩＤを含むＵＬ基本割当Ａ−ＭＡＰ  ＩＥを受信するから、自身の再伝送に対するリソース割当の位置が変更されたと判断することがある。この場合、Ｍ２Ｍ機器は、既存の再伝送領域ではなく新しく割り当てられたＵＬリソースを用いて再伝送を試みることができる。この時、他のＭ２Ｍ機器も同一のＳＴＩＤを共有しているので、放送されたＵＬ基本割当Ａ−ＭＡＰ  ＩＥを受信することができる。そのため、再伝送を行うＭ２Ｍ機器と新しく伝送を開始するＭ２Ｍ機器が同一のＵＬリソース領域を同時に使用し、衝突が発生する問題がある。そこで、図８では、このような問題点を解決するための方法を提案する。
【０１６２】
（１）第１方案
基地局は、ステーション識別子（ＳＴＩＤ）を共有するＭ２Ｍ機器に再伝送が発生した場合、再伝送が発生する時点（すなわち、再伝送が行われるサブフレーム）で同一のＳＴＩＤを使用するＭ２Ｍ機器には新しいリソース領域を割り当てない。
【０１６３】
（２）第２方案
基地局は、同一のＳＴＩＤを共有するＭ２Ｍ機器にアップリンク再伝送が発生する場合に、再伝送が発生する時点（すなわち、再伝送が行われるサブフレーム）では、同一のＳＴＩＤを共有する他のＭ２Ｍ機器には、再伝送を行うＭ２Ｍ機器（又はＵＬバースト）のＨＡＲＱチャネル識別子（ＡＣＩＤ）と同じＡＣＩＤを用いて新しいリソース領域を割り当てない。すなわち、基地局が新しいＵＬリソースを、ＳＴＩＤを共有するＭ２Ｍ機器に割り当てる場合に、同一のＵＬサブフレームで同一のＳＴＩＤを共有する他のＭ２Ｍ機器による再伝送ＵＬバーストがあると、ＡＢＳは、再伝送されるＵＬバーストのＡＣＩＤと異なるＡＣＩＤを用いて新しくＵＬリソースを割り当てなければならない。すなわち、  再伝送が行われるリソースと新しく伝送されるリソースとが同一のＳＴＩＤを使用する場合に、両リソースは互いに異なるＡＣＩＤを使用しなければならない。以下では、図８を参照して第２方案について詳しく説明する。
【０１６４】
図８は、本発明の実施例に係る、ＨＡＲＱチャネル識別子（ＡＣＩＤ）を用いてアップリンクＨＡＲＱ動作を支援する方法を示す図である。
【０１６５】
図８を参照すると、第１のＭ２Ｍ機器と第２のＭ２Ｍ機器は、同一のステーション識別子（ＳＴＩＤ）で連結が設定されている状態を仮定する。すなわち、第１のＭ２Ｍ機器及び第２のＭ２Ｍ機器は同一のＳＴＩＤを共有している（Ｓ８０１）。
【０１６６】
基地局（ＡＢＳ）は、ｉ番目のフレームで第１のＭ２Ｍ機器及び第２のＭ２Ｍ機器にアップリンクリソースを割り当てるためにＵＬ  Ａ−ＭＡＰ  ＩＥを伝送してよい。このとき、ＵＬ  Ａ−ＭＡＰ  ＩＥには、Ｍ２Ｍ機器に割り当てられたリソース領域を指示するリソース割当情報、Ｍ２Ｍ機器に割り当てられたＳＴＩＤ、及び再伝送状況が発生する場合に使用されるＨＡＲＱチャネル識別子である第１のＡＣＩＤ（ＡＣＩＤ  １）が含まれているとよい（Ｓ８０２）。
【０１６７】
第２のＭ２Ｍ機器が伝送するアップリンクデータが発生した場合に、第２のＭ２Ｍ機器は、リソース割当情報が指示するリソース領域を通じてＵＬデータを基地局に伝送する（Ｓ８０３）。
【０１６８】
この時、第２のＭ２Ｍ機器が伝送したアップリンクデータに誤りが発生した場合、基地局は、ｉ番目のフレームで受信非確認（ＮＡＣＫ）メッセージを第２のＭ２Ｍ機器に伝送する（Ｓ８０４）。
【０１６９】
第２のＭ２Ｍ機器が再伝送を行うサブフレームにおいて基地局が第２のＭ２Ｍ機器以外のＭ２Ｍ機器に新しいＵＬリソース領域を割り当てる必要が発生することがある。この時、基地局は、第２のＭ２Ｍ機器にＮＡＣＫメッセージを伝送したし、互いにＭ２Ｍ機器とＨＡＲＱ処理動作についてあらかじめ交渉したので（図示せず）、基地局は各Ｍ２Ｍ機器に関するＨＡＲＱスケジューリング情報を全て知っている。
【０１７０】
したがって、アップリンクリソースの割り当てられたサブフレームで第１のＭ２Ｍ機器とステーション識別子（ＳＴＩＤ）を共有する第２のＭ２Ｍ機器から再伝送されるアップリンクバーストがある場合には、基地局は、再伝送されるＵＬバーストの第１のＡＣＩＤと異なる第２のＡＣＩＤを用いて当該新しいアップリンクリソースを割り当てることができる。この場合、基地局は、共有されるＳＴＩＤ、新しいリソース割当情報、及び第１のＡＣＩＤと異なる第２のＡＣＩＤを含むＵＬ  Ａ−ＭＡＰ  ＩＥを、ｉ＋１番目のフレーム又はｉ＋ｎ番目のフレーム（ｎ＝２，３）でＭ２Ｍ機器に伝送する（Ｓ８０５）。
【０１７１】
第２のＭ２Ｍ機器はＳＴＩＤを共有しているため、Ｓ８０５段階でＵＬ  Ａ−ＭＡＰ  ＩＥを受信することができる。また、第２のＭ２Ｍ機器は、ＵＬ  Ａ−ＭＡＰ  ＩＥに含まれた第２のＡＣＩＤを確認することができる。この時、新しく伝送された第２のＡＣＩＤと再伝送するＵＬデータに対する第１のＡＣＩＤとが異なる場合、第２のＭ２Ｍ機器は、Ｓ８０５段階で割り当てられたリソース領域が、自身が再伝送する時に使用するリソース領域でないことがわかる。すなわち、同一のＳＴＩＤを共有する各Ｍ２Ｍ機器はＡＣＩＤを確認することによって、自身に割り当てられるリソース領域であるか否かが判断できる。
【０１７２】
したがって、Ｓ８０２段階で割り当てられた第１のＡＣＩＤとＳ８０５段階で割り当てられた第２のＡＣＩＤとが互いに異なるため、第２のＭ２Ｍ機器は、Ｓ８０５段階で割り当てられたリソース領域が再伝送のために再び割り当てられたものでないことがわかる。これにより、第２のＭ２Ｍ機器は、再伝送を行うサブフレームで、Ｓ８０５段階で割り当てられたリソース領域ではなくＳ８０２段階で割り当てられたリソース領域を通じてＳＴＩＤ及び第１のＡＣＩＤを用いてＵＬデータを基地局に再伝送できる（Ｓ８０６）。
【０１７３】
また、第１のＭ２Ｍ機器は、再伝送が行われるサブフレームで、Ｓ８０５段階で新しく割り当てられたリソース領域を通じてＳＴＩＤ及び第２のＡＣＩＤを用いて新しいＵＬデータを伝送できる（Ｓ８０７）。
【０１７４】
図８で説明した実施例をフレーム番号に関連付けて再び説明する。Ｍ２Ｍ機器１とＭ２Ｍ機器２には、ネットワーク進入手順においてＡＡＩ−ＲＥＧ−ＲＳＰメッセージによりＳＴＩＤ  １が割り当てられ、ＳＴＩＤ＿Ｖａｌｉｄ＿ｏｆｆｓｅｔはそれぞれ１と２であり、ＳＴＩＤ＿Ｖａｌｉｄ＿Ｐｅｒｉｏｄｉｃｉｔｙは４であるとする（図６参照）。このとき、Ｍ２Ｍ機器１はＦｒａｍｅ  １で、Ｍ２Ｍ機器２はｆｒａｍｅ  ２でＳＴＩＤを使用するようになる。
【０１７５】
基地局は、Ｆｒａｍｅ  １でＳＴＩＤ  １とＡＣＩＤ  １を用いてＭ２Ｍ機器１にＵＬリソースを割り当てるためにＵＬ  ｂａｓｉｃ  ａｓｓｉｇｎｍｅｎｔ  Ａ−ＭＡＰ  ＩＥを伝送し、Ｍ２Ｍ機器１は、割り当てられたリソースでＵＬパケットを伝送する。この場合、ＵＬパケットにエラーが発生すると、基地局は次のフレームでＤＬ  ＨＡＲＱチャネルにてＮＡＣＫを端末に伝送する。当該時点に、基地局がＭ２Ｍ機器２にアップリンクリソースを割り当てるためにＡＣＩＤ＝２を用いてＵＬ  Ｂａｓｉｃ  Ａｓｓｉｇｎｍｅｎｔ  Ａ−ＭＡＰ  ＩＥを伝送する。この場合、Ｍ２Ｍ機器１はＡＣＩＤが２に設定されたＵＬ  Ｂａｓｉｃ  Ａｓｓｉｇｎｍｅｎｔ  Ａ−ＭＡＰ  ＩＥを受信した時、該Ａ−ＭＡＰ  ＩＥが自身のために伝送されたものでないと判断して無視する。Ｍ２Ｍ機器２は、ＡＣＩＤ  ２が設定されたＵＬ  Ｂａｓｉｃ  Ａｓｓｉｇｎｍｅｎｔ  Ａ−ＭＡＰ  ＩＥによって指示されたリソースでＵＬパケットを伝送する。このように、同一のＳＴＩＤを共有するＭ２Ｍ機器に初期伝送と再伝送時に割り当てられるリソース領域をそれぞれ異なったＡＣＩＤで区別することによって、各Ｍ２Ｍ機器が同一のＳＴＩＤを使用する場合にも互いに衝突する可能性を減らすことができる。
【０１７６】
本発明は、本発明の精神及び必須特徴から逸脱しない範囲で他の特定の形態に具体化されてもよい。したがって、上記の詳細な説明は、いずれの面においても制約的に解釈されてはならず、例示的なものとして考慮されるべきである。本発明の範囲は、添付した請求項の合理的解釈により決定されるべきであり、本発明の等価的範囲内における変更はいずれも本発明の範囲に含まれる。また、特許請求の範囲において明示的な引用関係を有していない請求項を結合して実施例を構成したり、出願後の補正により新しい請求項として含めてもよい。
【産業上の利用可能性】
【０１７７】
本発明の実施例は、様々な無線接続システムに適用可能である。様々な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／又はＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、上記の様々な無線接続システムに限定されず、上記の様々な無線接続システムを応用したいかなる技術分野にも適用可能である。
【図２】
0005820930.tif 000029
【図３】
0005820930.tif 000030
【図４】
0005820930.tif 000031
【図５】
0005820930.tif 000032
【図７】
0005820930.tif 000033
【図１】
0005820930.tif 000034
【図６】
0005820930.tif 000035
【図８】
0005820930.tif 000036